(57)【特許請求の範囲】
【請求項１】
ユーザ機器（ＵＥ）によるワイヤレス通信の方法であって、
第１の無線アクセス技術（ＲＡＴ）および第２のＲＡＴ上でネットワーク機器と通信することと、
前記ＵＥと前記ネットワーク機器との間の前記通信における前記第１のＲＡＴと前記第２のＲＡＴとの間の結合を識別すること、ここにおいて、前記結合は、前記第１と第２のＲＡＴの両方上でネットワークトラヒックを前記ネットワーク機器へ伝達するために共通のベアラを使用することを備える、と、
前記ＲＡＴのうちの少なくとも１つと関連付けられたハンドオーバイベントを識別することと、
前記ＵＥによって、前記識別されたハンドオーバイベントおよび前記第１のＲＡＴと前記第２のＲＡＴとの間の前記結合に少なくとも部分的に基づいてネットワークトラヒックルーティングのルールをアップデートすることと
を備える、方法。
【請求項２】
前記ＵＥから前記ネットワーク機器へのアップリンクトラヒックのルーティングを変更するための要求を前記ネットワーク機器から受信することをさらに備える、請求項１に記載の方法。
【請求項３】
前記第１のネットワークは、ワイヤレスワイドエリアネットワーク（ＷＷＡＮ）を備え、前記第２のネットワークは、無線ローカルエリアネットワーク（ＷＬＡＮ）を備える、請求項１に記載の方法。
【請求項４】
前記第１のＲＡＴと前記第２のＲＡＴとの間の前記結合を識別することは、
前記第１のＲＡＴと前記第２のＲＡＴ上の前記ネットワーク機器と前記ＵＥとの間の前記ネットワークトラヒックが少なくとも前記共通のベアラによってサポートされると決定することを備える、請求項３に記載の方法。
【請求項５】
前記ハンドオーバイベントによって示された前記ＵＥのハンドオーバが、前記ＵＥが現在のレートで前記第１のＲＡＴおよび前記第２のＲＡＴの両方上で前記共通のベアラによってサポートされるネットワークトラヒックを通信し続ける能力に有害な影響を及ぼし得ると決定することをさらに備える、請求項４に記載の方法。
【請求項６】
前記第１および第２のＲＡＴの両方に関するトラヒックを伝達するために、前記ハンドオーバイベントのターゲットが共通のベアラの使用をサポートしない場合、前記ルーティングのルールをアップデートすることは、前記第１と第２のＲＡＴとの間の前記結合を解除することを備える、請求項１に記載の方法。
【請求項７】
前記結合を解除することは、前記ＲＡＴのうちの１つ上で前記共通のベアラと関連付けられた全てのデータトラヒックをルーティングすることを備える、請求項６に記載の方法。
【請求項８】
前記ＵＥにおいて前記ネットワークトラヒックルーティングのルールをアップデートすることは、
前記識別されたハンドオーバイベントに基づいて前記ＵＥによって記憶されたＩＰ−レイヤルーティングテーブルを変更することを備える、請求項１に記載の方法。
【請求項９】
前記ルーティングテーブルを変更することは、前記ハンドオーバイベントのターゲットが、前記第１のＲＡＴと前記第２のＲＡＴの両方上で前記ＵＥのトラヒックを伝達するために共通のベアラを使用することをサポートするという決定に応答する、請求項８に記載の方法。
【請求項１０】
前記ＵＥにおいて前記ネットワークトラヒックルーティングのルールをアップデートすることは、
前記識別されたハンドオーバイベントに基づいて前記ＵＥにおいて少なくとも１つのサブ−ＩＰレイヤスケジューリングルールを変更することを備え、前記スケジューリングルールは、前記第１および第２のＲＡＴの間で前記ネットワーク機器と前記ＵＥとの間でアップリンクトラヒックを分散することと関連付けられる、請求項１に記載の方法。
【請求項１１】
前記少なくとも１つのサブ−ＩＰレイヤスケジューリングルールを変更することは、前記ハンドオーバイベントのターゲットが、前記第１のＲＡＴと前記第２のＲＡＴの両方上で前記ＵＥのトラヒックを伝達するために共通のベアラを使用することをサポートするという決定に応答する、請求項１０に記載の方法。
【請求項１２】
前記ハンドオーバイベントのターゲットが、前記第１のＲＡＴと前記第２のＲＡＴの両方上で前記ＵＥのトラヒックを伝達するために共通のベアラを使用することをサポートするという決定に応答して共通のベアラを使用する前記第２のＲＡＴと前記第１のＲＡＴ上で前記ネットワーク機器へ前記ＵＥのネットワークトラヒックを送信することをさらに備え、または、
前記ネットワーク機器から前記ＵＥへのダウンリンクトラヒックのルーティングを変更するように前記ネットワーク機器へ要求を送信することをさらに備え、または、
前記第２のＲＡＴへルーティングされるべきである保留中のネットワークトラヒックの量に基づいて、前記第１のＲＡＴにおいてハンドオーバを遅延させることをさらに備え、または、
前記第１のＲＡＴにおける前記ＵＥのハンドオーバに応答する前記第２のＲＡＴ上の前記ＵＥの接続を変更することをさらに備え、または、
前記ＲＡＴのうちの１つと関連付けられたポートのセット上でワイヤレストラヒックを送信することおよび受信することをさらに備え、ここにおいて、前記ネットワークトラヒックルーティングは前記ポートのセットのサブセットに適合される、請求項１に記載の方法。
【請求項１３】
前記第２のＲＡＴにおける前記ネットワーク機器と前記ＵＥとの間の前記接続を変更することは、前記ＵＥを前記第２のＲＡＴから分離すること、前記第２のＲＡＴにおいて前記ＵＥのハンドオーバを開始すること、または前記ＵＥにおいて前記第２のＲＡＴを非アクティブ化することのうちの少なくとも１つを備える、請求項１２に記載の方法。
【請求項１４】
前記第１のＲＡＴと前記第２のＲＡＴとの間の前記結合を識別することは、前記ＲＡＴのうちの１つ上で前記ネットワーク機器からユニキャストメッセージを受信すること、前記メッセージは、前記第１のＲＡＴと前記第２のＲＡＴとの間の前記結合を示し、
前記第１のＲＡＴと前記第２のＲＡＴとの間の前記結合を通知する前記ＲＡＴのうちの少なくとも１つ上でブロードキャストメッセージを受信すること、
前記第２のＲＡＴの少なくとも１つのキャリアと前記第１のＲＡＴの少なくとも１つのキャリアのキャリアアグリゲーションを識別すること、または
前記ネットワーク機器が前記ＲＡＴの各々と関連付けられた配置された要素を備えると決定すること
のうちの少なくとも１つを備え、または、
前記ハンドオーバイベントを識別することは、
前記ネットワーク機器から前記ハンドオーバイベントの表示を受信すること、
前記ＲＡＴのうちの少なくとも１つと関連付けられた前記ネットワーク機器からのハンドオーバ命令を前記ＵＥにおいて受信すること、
前記ＵＥと関連付けられた現在のサービングセルの無線リンク障害を検出すること、
前記ＲＡＴのうちの少なくとも１つと関連付けられたサービス品質がしきい値未満に落ちたと決定すること、または
隣接セルが前記ＵＥと関連付けられた現在のサービングセルよりも優良な信号強度を備えると決定すること
のうちの少なくとも１つを備える、請求項１に記載の方法。
【請求項１５】
ユーザ機器（ＵＥ）装置は、請求項１から１４のうちのいずれか１項のステップを行うように配置される手段を備える、ＵＥ装置。
【請求項１６】
コンピュータプログラムであって、請求項１から１４のうちのいずれか１項のステップを行うことがプロセッサによって実行可能である命令を備える、コンピュータプログラム。
【発明の詳細な説明】
【関連出願の相互参照】
【０００１】
[0001]  本願は、Sundararajan等によって２０１４年５月２日に提出された「ハンドオーバ検出に基づくルーティング変更（Routing Modification Based on Handover Detection）」と題された米国特許出願第１４／２６８，７８６号およびSundararajan等によって２０１３年５月６日に提出された「ハンドオーバ検出に基づくルーティング変更（Routing Modification Based on Handover Detection）」と題された米国特許仮出願第６１／８２０，０９３号に対する優先権を主張し、それぞれが譲受人に譲渡される。
【背景技術】
【０００２】
[0002]  以下はワイヤレス通信に一般に関し、より具体的には、ユーザ機器（ＵＥ）とネットワーク機器との間でデータを通信するための異なる（disparate）無線アクセス技術（ＲＡＴ）の結合またはアグリゲーションに関する。ワイヤレス通信システムは、音声、ビデオ、パケットデータ、メッセージング、ブロードキャストなどのような、様々なタイプの通信コンテンツを提供するために広く展開されている。これらのシステムは、（例えば、時間、周波数、および電力のような）利用可能なシステムリソースを共有することによって複数のユーザとの通信をサポートすることができる多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、および、直交周波数分割多元接続（ＯＦＤＭＡ）システムを含む。
【０００３】
[0003]  一般的に、ワイヤレス多元接続通信システムは、それぞれが複数のモバイルデバイスに関する通信を同時にサポートする多数の基地局を含み得る。基地局は、ダウンストリームおよびアップストリームリンク上でＵＥと通信し得る。各基地局は、カバレッジ範囲を有し、それはセルのカバレッジエリアと称され得る。いくつかの場合において、複数のＲＡＴキャリアは、ＵＥとネットワーク機器（例えば、基地局）との間でデータを通信するようにアグリゲートされ、または結合され得る。これらの場合において、ＲＡＴのうちの１つ上でハンドオーバのイベントにおける効率的なキャリアリソースの利用およびトラヒックフローの継続性（traffic flow continuity）を提供することが必要とされる。
【発明の概要】
【０００４】
[0004]  説明される特徴は、一般に、ＵＥおよびネットワーク機器におけるハンドオーバの検出に基づいてルーティング変更を行うための１つまたは複数の改良されたシステム、方法、および／または装置に関する。本明細書の原則に従い、ＵＥとネットワーク機器との間のネットワーク通信は、第１の無線アクセス技術（ＲＡＴ）および第２のＲＡＴ上で確立されることがあり得、第１のＲＡＴと第２のＲＡＴとの間の結合は、ＵＥとネットワーク機器との間の通信において識別され得る。ＲＡＴのうちの少なくとも１つに関連付けられるハンドオーバイベントが識別されることがあり得、ネットワークトラヒックルーティングまたはスケジューリング行動（a scheduling behaviors）は、第１のＲＡＴと第２のＲＡＴとの間の結合および識別されたハンドオーバイベントに少なくとも部分的に基づいて適合されることがあり得る。
【０００５】
[0005]  第１の例示的構成に従い、ユーザ機器（ＵＥ）によるワイヤレス通信の方法は、第１の無線アクセス技術（ＲＡＴ）および第２のＲＡＴ上でネットワーク機器とＵＥとの間の通信を確立することを含み得る。いくつかの例において、方法は、ＵＥとネットワーク機器との間の通信における第１のＲＡＴと第２のＲＡＴとの間の結合を識別することをさらに備え得る。ＲＡＴのうちの少なくとも１つと関連付けられたハンドオーバイベントが識別され得る。方法は、ＵＥによって、識別されたハンドオーバイベントと第１のＲＡＴと第２のＲＡＴとの間の結合に少なくとも部分的に基づいてネットワークトラヒックルーティングを適合させることをさらに備え得る。
【０００６】
[0006]  ある例において、要求がネットワークから受信されることがあり得、ＵＥからネットワーク機器へのアップリンクトラヒックのルーティングを変更するようにＵＥに要求する。いくつかの例において、ＲＡＴのうちの少なくとも１つは、ワイヤレスワイドエリアネットワーク（ＷＷＡＮ）を含むことがあり得、他のＲＡＴは、無線ローカルエリアネットワーク（ＷＬＡＮ）を含むことがあり得る。そのようなネットワークにおいて、結合することは、第１と第２のＲＡＴの両方に関するネットワークトラヒックをネットワーク機器へ伝達するための共通のベアラを使用することを備え得る。第１のＲＡＴと第２のＲＡＴとの間の結合を識別することは、第１のＲＡＴと第２のＲＡＴ上でネットワーク機器とＵＥとの間のネットワークトラヒックが少なくとも共通のベアラによってサポートされると決定することを備え得る。方法は、ハンドオーバイベントによって示されたＵＥのハンドオーバが、ＵＥが現在のレート（current rate）で第１および第２のＲＡＴの両方上で共通のベアラによってサポートされるネットワークトラヒックを通信し続ける能力に影響を及ぼし得ると決定することをさらに備え得る。
【０００７】
[0007]  いくつかの例において、第１および第２のＲＡＴの両方に関するトラヒックを伝達するために、ハンドオーバイベントのターゲットが共通のベアラの使用をサポートしない場合、ルーティングすることを適合させることは、第１と第２のＲＡＴとの間の結合を解除すること（disengaging）を備え得る。結合を解除することは、ＲＡＴのうちの１つ上の共通のベアラ（すなわち、ハンドオーバの前に使用される）と関連付けられた全てのデータトラヒックをルーティングすることを備え得る。追加的にまたは代替的に、ＵＥにおいてネットワークトラヒックルーティングを適合させることは、識別されたハンドオーバイベントに基づくＵＥによって記憶されるＩＰ−レイヤルーティングテーブルを変更することを備え得る。ルーティングテーブルを変更することは、ハンドオーバイベントのターゲットが、第１のＲＡＴと第２のＲＡＴの両方上でＵＥのトラヒックを伝達するために共通のベアラを使用することをサポートするという決定に応答し得る。
【０００８】
[0008]  さらなる例において、ＵＥにおけるネットワークトラヒックルーティングを適合させることは、識別されたハンドオーバイベントに基づいて少なくとも１つのサブ−ＩＰレイヤスケジューリングルールを変更することを備え得る。スケジューリングルールは、第１および第２のＲＡＴ間のネットワーク機器とＵＥとの間のアップリンクトラヒックを配信すること（distributing）と関係づけられ得る。いくつかの例において、少なくとも１つのサブ−ＩＰレイヤスケジューリングルールを変更することは、ハンドオーバイベントのターゲットが、第１のＲＡＴと第２のＲＡＴの両方上で受信されたＵＥのトラヒックを伝達するために共通のベアラを使用することをサポートするという決定に応答し得る。
【０００９】
[0009]  ある例において、ＵＥのネットワークトラヒックは、ハンドオーバイベントのターゲットが、ＵＥのトラヒックをコアネットワークへ伝達するために、共通のベアラを使用することをサポートするという決定に応答して、第１のＲＡＴおよび第２のＲＡＴ上でネットワーク機器へ送信され得る。いくつかの例において、要求は、ネットワーク機器からＵＥへのダウンリンクトラヒックのルーティング変更するためにネットワーク機器へ送信され得る。追加的または代替的に、ハンドオーバは、第２のＲＡＴにルーティングされた保留中の（pending）ネットワークトラヒックの送信の後まで第１のＲＡＴにおいて遅延され得る。
【００１０】
[0010]  いくつかの例において、第２のＲＡＴ上でＵＥの接続を変更することは、第１のＲＡＴにおけるＵＥのハンドオーバに応答し得る。第２のＲＡＴにおけるネットワーク機器とＵＥとの間の接続を変更することは、ＵＥを第２のＲＡＴから分離すること（disassociating）を備えることがあり得、第２のＲＡＴにおいてＵＥのハンドオーバを開始するか、ＵＥにおいて第２のＲＡＴを非アクティブ化する。ある例において、ワイヤレストラヒックは、ＲＡＴのうちの１つと関連付けられるポートのセット上で送信および受信されることがあり得、ネットワークトラヒックルーティングは、ポートのセットのサブセットに適合され得る。
【００１１】
[0011]  いくつかの例において、第１のＲＡＴと第２のＲＡＴとの間の結合を識別することは、第１のＲＡＴと第２のＲＡＴ上でネットワーク機器とＵＥとの間で通信されたネットワークトラヒックが少なくとも１つの同一のベアラによってサポートされると決定することを含み得る。第１のＲＡＴと第２のＲＡＴとの間で結合することを識別することは、第１のＲＡＴの少なくとも１つのキャリアと第２のＲＡＴの少なくとも１つのキャリアとのキャリアアグリゲーションを識別することを含み得る。追加的にまたは代替的に、第１のＲＡＴと第２のＲＡＴとの間で結合することを識別することは、ネットワーク機器がＲＡＴのそれぞれと関連付けられた配置された（collocated）要素を含むと決定することを含み得る。追加的にまたは代替的に、第１のＲＡＴと第２のＲＡＴとの間で結合することを識別することは、ＲＡＴのうちの１つ上でネットワーク機器からユニキャストメッセージを受信することを含むことがあり得、メッセージは、第１のＲＡＴと第２のＲＡＴとの間で結合することを示す。追加的にまたは代替的に、第１のＲＡＴと第２のＲＡＴとの間で結合することを識別することは、第１のＲＡＴと第２のＲＡＴとの間で結合することを通知している（advertising）ＲＡＴのうちの少なくとも１つ上でブロードキャストメッセージを受信することを含み得る。
【００１２】
[0012]  ある例において、ハンドオーバイベントを識別することは、隣接セルがＵＥと関連付けられた現在のサービングセルよりも優良な信号強度を備えると決定することを含み得る。追加的にまたは代替的に、ハンドオーバイベントを識別することは、ＲＡＴのうちの少なくとも１つと関連付けられるネットワーク機器からのハンドオーバ命令をＵＥにおいて受信することを含み得る。追加的にまたは代替的に、ハンドオーバイベントを識別することは、ＵＥと関連付けられた現在のサービングセルの無線リンクの障害を検出することを含み得る。追加的にまたは代替的に、ハンドオーバイベントを識別することは、ＲＡＴのうちの少なくとも１つと関連付けられたサービス品質がしきい値未満に落ちたと決定することを含み得る。追加的にまたは代替的に、ハンドオーバイベントを識別することは、ネットワーク機器からハンドオーバイベントのインジケーションを受信することを含み得る。
【００１３】
[0013]  第２の例示的な構成に従って、ＵＥ装置は、第１の無線アクセス技術（ＲＡＴ）および第２のＲＡＴ上でネットワーク機器とＵＥ装置との間の通信を確立するための手段と、ＵＥ装置とネットワーク機器との通信において、第１のＲＡＴと第２のＲＡＴとの間で結合することを識別するための手段と、ＲＡＴのうちの少なくとも１つと関連付けられたハンドオーバイベントを識別するための手段と、第１のＲＡＴと第２のＲＡＴとの間で結合することと識別されたハンドオーバイベントに少なくとも部分的に基づくネットワークトラヒックルーティングを、ＵＥ装置によって適合させるための手段とを含み得る。
【００１４】
[0014]  ある例において、第２の例示的な構成のＵＥ装置は、第１の例示的な構成の方法を参照する上述した機能性の１つまたは複数の態様をインプリメントするように構成され得る。
【００１５】
[0015]  第３の例示的な構成に従って、ユーザ機器（ＵＥ）装置は、第１のＲＡＴと関連付けられた第１の無線機と、第２のＲＡＴと関連付けられた第２の無線機と、プロセッサと、プロセッサとの電子的な通信状態にあるメモリと、命令を包含する（embodying）メモリとを含み得る。命令は、第１の無線アクセス技術（ＲＡＴ）と第２のＲＡＴ上でネットワーク機器とＵＥとの間の通信を確立することと、ＵＥとネットワーク機器との間の通信において第１のＲＡＴと第２のＲＡＴとの間で結合することを識別することと、ＲＡＴのうちの少なくとも１つと関連付けられたハンドオーバイベントを識別することと、識別されたハンドオーバイベントと第１のＲＡＴと第２のＲＡＴとの間で結合することに少なくとも部分的に基づいてネットワークトラヒックルーティングを適合させることとを行うようにプロセッサによって実行可能であり得る。
【００１６】
[0016]  ある例において、第３の例示的な構成のＵＥ装置は、第１の例示的な構成の方法を参照する上述した機能性の１つまたは複数の態様をインプリメントするように構成され得る。
【００１７】
[0017]  第４の例示的な構成に従って、コンピュータプログラム製品は、第１の無線アクセス技術（ＲＡＴ）と第２のＲＡＴ上でネットワーク機器とＵＥとの間の通信を確立することと、ＵＥとネットワーク機器との間の通信において第１のＲＡＴと第２のＲＡＴとの間での結合を識別することと、ＲＡＴのうちの少なくとも１つと関連付けられたハンドオーバイベントを識別することと、識別されたハンドオーバイベントと第１と第２のＲＡＴとの間で結合することに少なくとも部分的に基づいてネットワークトラヒックルーティングをＵＥによって適合させることとを行うようにプロセッサによって実行可能な命令を記憶する非一時的なコンピュータ可読媒体を含み得る。
【００１８】
[0018]  ある例において、第４の例示的な構成のコンピュータプログラム製品は、第１の例示的な構成の方法を参照する上述した機能性の１つまたは複数の態様をインプリメントするように構成され得る。
【００１９】
[0019]  第５の例示的な構成に従って、ネットワーク機器によるワイヤレス通信の方法は、第１の無線アクセス技術（ＲＡＴ）および第２のＲＡＴ上でネットワーク機器とユーザ機器（ＵＥ）との間の通信を確立することと、ＵＥとネットワーク機器との間の通信において第１のＲＡＴと第２のＲＡＴとの間で結合することを識別することと、ＲＡＴのうちの少なくとも１つと関連付けられたハンドオーバイベントを識別することと、第１のＲＡＴと第２のＲＡＴとの間で結合することと識別されたハンドオーバイベントに少なくとも部分的に基づくネットワークトラヒックルーティングを、ネットワーク機器によって適合させることとを含み得る。
【００２０】
[0020]  ある例において、ネットワーク機器は、ＵＥからネットワーク機器へのアップリンクトラヒックのルーティングを変更するようにＵＥに要求を送信し得る。いくつかの例において、ＲＡＴのうちの少なくとも１つは、ワイヤレスワイドエリアネットワーク（ＷＷＡＮ）ＲＡＴを含むことがあり得、他のＲＡＴは、無線ローカルエリアネットワーク（ＷＬＡＮ）ＲＡＴを含むことがあり得る。
【００２１】
[0021]  説明される方法および装置の適用可能性のさらなる範囲が、以下の詳細な説明、特許請求の範囲、および図面から明らかになるであろう。明細書の主旨および範囲内の多様な変更および修正は当業者にとって明らかになるため、詳細な説明および特定の例は、例示のみの目的で与えられる。
【図面の簡単な説明】
【００２２】
[0022]  本発明の本質および利点のさらなる理解は、以下の図を参照することによって実現され得る。添付された図面において、同様なコンポーネントまたは特徴は、同じ参照ラベルを有しうる。さらに、同じタイプの様々なコンポーネントは、ダッシュと、同様のコンポーネントを区別する第２のラベルとが参照ラベルに続くことによって区別され得る。本明細書内において第１の参照ラベルのみが使用される場合、本記載は、第２の参照ラベルに関係なく同じ第１の参照ラベルを有する同様なコンポーネントのいずれかの１つに適用される。
【図１】図１は、ワイヤレス通信デバイスのブロック図を示す。
【図２】図２は、ＵＥとネットワーク機器との間でデータを通信するための複数のＲＡＴのアグリゲーションを含む例示的なワイヤレス通信システムのブロック図を示す。
【図３Ａ】図３Ａは、ハンドオーバイベントの前および後の例示的なワイヤレス通信システムのブロック図を示す。
【図３Ｂ】図３Ｂは、ハンドオーバイベントの前および後の例示的なワイヤレス通信システムのブロック図を示す。
【図３Ｃ】図３Ｃは、ハンドオーバイベントの前および後の例示的なワイヤレス通信システムのブロック図を示す。
【図４】図４は、ワイヤレスシステムにおけるルーティング変更に関する例示的なプロセスの図を示す。
【図５】図５は、ワイヤレスシステムにおけるルーティング変更に関する例示的なプロセスの図を示す。
【図６】図６は、例示的なＵＥのブロック図を示す。
【図７】図７は、例示的なＵＥのブロック図を示す。
【図８】図８は、例示的な基地局ネットワーク機器のブロック図を示す。
【図９】図９は、例示的な基地局ネットワーク機器のブロック図を示す。
【図１０】図１０は、例示的なワイヤレス通信システムのブロック図を示す。
【図１１】図１１は、ワイヤレス通信を管理するための例示的な方法のフローチャートを示す。
【図１２】図１２は、ワイヤレス通信を管理するための例示的な方法のフローチャートを示す。
【詳細な説明】
【００２３】
[0035]  本明細書は、ＵＥとネットワーク機器（例えば、基地局）との間で通信されるデータのルーティングを変更すること、またはハンドオーバイベントに応答する動作のサブ−ＩＰレイヤにおけるスケジューリングによるワイヤレス通信の管理を説明している。ＵＥとネットワーク機器が複数の無線アクセス技術（ＲＡＴ）の結合またはアグリゲーションを使用する場合、ハンドオーバイベント（例えば、ＲＡＴのうちの１つにおけるハンドオーバの発生または切迫（imminence）の検出、およびＲＡＴの結合は、１つまたは両方のＲＡＴについてのネットワークトラヒックルーティングに影響を及ぼし得る。例えば、ＵＥは、配置されたワイドエリアネットワーク（ＷＷＡＮ）基地局および無線ローカルエリアネットワーク（ＷＬＡＮ）アクセスポイント要素を有するネットワーク機器と通信するためのＷＬＡＮキャリアとセルラＷＷＡＮキャリアをアグリゲートし得る。ＵＥまたはネットワーク機器は、ＵＥとネットワーク機器との間の通信においてＷＬＡＮとＷＷＡＮキャリアとの間の結合を識別し、ネットワーク機器からターゲットネットワーク機器へのＵＥのＷＷＡＮハンドオーバの発生または切迫と関連付けられたハンドオーバイベントを検出し得る。
【００２４】
[0036]  例えば、以下のＷＷＡＮハンドオーバイベント、ＷＬＡＮおよびＷＷＡＮキャリアは、既に結合されていないことがあり得る。結果として、ネットワークトラヒックルーティングの適合なしでは、ＷＬＡＮキャリアを通したコアネットワークとの通信は中断され得る。いくつかの例において、ルーティングの適合は、ＵＥとコアネットワークとの間のデータの通信に対する中断を緩和する。結果として、検出されたハンドオーバイベントとＷＷＡＮキャリアとＷＬＡＮキャリアとの間の識別された結合に基づいて、ＵＥまたはネットワーク機器は、現在ＷＬＡＮキャリアと関連付けられたトラヒックをＷＷＡＮキャリアへ移動させ、それによりＵＥとコアネットワークとの間のデータの通信に対する中断を避けるために、ネットワークトラヒックルーティングを適合し得る。
【００２５】
[0037]  したがって、以下の説明は、例を提供し、特許請求の範囲において述べられる範囲、適用可能性、または構成を限定するものではない。本開示の主旨および範囲から逸脱することなく説明される要素の機能および配列に変更がなされ得る。様々な実施形態は、適切に様々な手順またはコンポーネントを省略、代用、または追加し得る。例えば、説明される方法は、説明されるものとは異なる順序で遂行され、様々なステップは、追加、省略、または組み合わされ得る。また、ある例または例示に関して説明される特徴は、他の例または例示において説明された特徴と自由に組合わされ得る。
【００２６】
[0038]  まず図１を参照して、図は、ワイヤレス通信システム１００の例を例示する。ワイヤレス通信システム１００は、基地局ネットワーク機器１０５、通信ユーザ機器（ＵＥ）１１５、およびコアネットワーク１３０を含み得る。基地局ネットワーク機器１０５は、ＵＥ １１５と通信するための複数の（a number of）セルをサポートすることがあり得、コアネットワーク１３０に結合され得る。基地局ネットワーク機器１０５は、制御情報および／またはユーザデータを、バックホールリンク１３２を通してコアネットワーク１３０と通信し得る。実施形態において、基地局ネットワーク機器１０５は、直接的に、または間接的に、のいずれかで、バックホールリンク１３４上で互いに通信することがあり得、それは有線またはワイヤレス通信リンクであり得る。ワイヤレス通信システム１００は、複数のキャリア（異なる周波数の波形信号）上の動作をサポートし得る。マルチキャリア送信機は、複数のキャリア上で同時に変調された信号を送信することができる。例えば、各通信リンク１２５は、上述された様々な無線技術に従って変調されたマルチキャリア信号であり得る。各変調された信号は、異なるキャリア上で送られることがあり得、制御情報（例えば、参照信号、制御チャネル等）、オーバーヘッド情報、データ等を搬送し得る。
【００２７】
[0039]  基地局ネットワーク機器１０５は、１つまたは複数の基地局アンテナを介してＵＥ １１５とワイヤレスに通信し得る。基地局ネットワーク機器１０５のサイトの各々は、それぞれの地理的なカバレッジエリア１１０のための通信カバレッジを提供し得る。いくつかの実施形態において、基地局ネットワーク機器１０５は、単純に基地局、ベーストランシーバ局、無線基地局、アクセスポイント、無線トランシーバ、基本サービスセット（ＢＳＳ）、拡張されたサービスセット（ＥＳＳ）、ノードＢ、ｅＮｏｄｅＢ（ｅＮＢ）、ホームノードＢ、ホームｅＮｏｄｅＢ、またはその他適切な用語で称され得る。基地局ネットワーク機器に関する地理的なカバレッジエリア１１０は、カバレッジエリアの一部のみ（図示せず）を構成するセクタに分けられ得る。ワイヤレス通信システム１００は、異なるタイプ（例えば、マクロ、マイクロ、および／またはピコ基地局）の基地局ネットワーク機器１０５を含み得る。異なる技術についてカバレッジエリアがオーバーラップしていることもあり得る。
【００２８】
[0040]  実施形態において、ワイヤレス通信システム１１０は、ＬＴＥ／ＬＴＥ−Ａネットワークである。ＬＴＥ／ＬＴＥ−Ａネットワークにおいて、発展型ノードＢ（ｅＮＢ）およびユーザ機器（ＵＥ）という用語は、それぞれ一般に、基地局ネットワーク機器１０５およびモバイルデバイスを説明するために使用され得る。ワイヤレス通信システム１００は、異なるタイプのｅＮＢが様々な地理的領域に関するカバレッジを提供する、異種ＬＴＥ／ＬＴＥ−Ａネットワークであり得る。例えば、各基地局ネットワーク機器１０５は、マクロセル、ピコセル、フェムトセル、および／または他のタイプのセルまたは電力の分類（power classifications）として動作し得る。マクロセルは一般的に、相対的に広い地理的エリア（例えば、半径数キロメートル）をカバーし、ネットワークプロバイダにサービス加入しているＵＥによる制限のないアクセスを可能にし得る。ピコセルは一般的に、相対的により狭い地理的エリアをカバーし、ネットワークプロバイダにサービス加入しているＵＥによる制限のないアクセスを可能にし得る。フェムトセルもまた一般的に、相対的に狭い地理的エリア（例えば、家）をカバーし、フェムトセルとの関連づけを有するＵＥ（例えば、クローズド加入者グループ（ＣＳＧ）の中のＵＥ、家の中のユーザのためのＵＥ、等）による制限されたアクセス、オープンアクセス、または混合型のアクセス（hybrid access）を提供し得る。マクロセルのためのｅＮＢは、マクロｅＮＢと称され得る。ピコセルのためのｅＮＢは、ピコｅＮＢと称され得る。また、フェムトセルのためのｅＮＢはフェムトｅＮＢまたはホームｅＮＢと称され得る。ｅＮＢは、１つまたは複数の（例えば、２つ、３つ、４つなどの）セルをサポートし得る。
【００２９】
[0041]  コアネットワーク１３０は、バックホールリンク１３２（例えば、Ｓ１等）を介して基地局ネットワーク機器１０５と通信し得る。基地局ネットワーク機器１０５はまた、例えば、直接的、または間接的にバックホールリンク１３４（例えば、Ｘ２インターフェース等）を介しておよび／または（例えば、コアネットワーク１３０を通る）バックホールリンク１３２を介して互いに通信し得る。ワイヤレス通信ネットワークシステム１００は、同期または非同期動作をサポートし得る。同期動作については、ｅＮＢが同様のフレームタイミングを有し、異なるｅＮＢからの送信が時間的にほぼ揃えられ（aligned）得る。非同期動作については、これらｅＮＢが異なるフレームタイミングを有すことがあり得、異なるｅＮＢからの送信が時間的に揃えられないことがあり得る。ここで説明される技法は、同期または非同期動作のいずれかのために使用され得る。
【００３０】
[0042]  ＵＥ １１５は、ワイヤレス通信システム１００全体に分散していることがあり得、各ＵＥ １１５は、固定またはモバイルであり得る。ＵＥ １１５はまた、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイルサブスクライバ局、アクセス端末、モバイル端末、ワイヤレス端末、リモート端末、ハンドセット、ユーザエージェント、モバイルクライアント、クライアント、または何らかの他の適切な専門用語で称され得る。ＵＥ １１５は、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００３１】
[0043]  ワイヤレス通信システム１００において示される通信リンク１２５は、ＵＥ １１５から基地局ネットワーク機器１０５へのアップリンク（ＵＬ）送信および／または基地局ネットワーク機器１０５からＵＥ １１５へのダウンリンク（ＤＬ）送信を含み得る。ダウンリンク送信はまた、順方向リンク送信と呼ばれることがあり得、一方、アップリンク送信はまた、逆方向リンク送信と呼ばれ得る。
【００３２】
[0044]  ある例において、異種無線アクセス技術（ＲＡＴ）は、ＵＥ １１５が異なるＲＡＴキャリアのアグリゲーション上でコアネットワーク１３０にアクセスすることがあり得るようにワイヤレス通信システム内で利用可能であり得る。例えば、ワイヤレス通信システム１００の基地局ネットワーク機器１０５は、ＷＷＡＮ基地局、ＷＬＡＮアクセスポイント要素の両方を含み得る。ある例において、基地局ネットワーク機器１０５は、ＷＬＡＮアクセスポイント要素と配置されたＬＴＥ ｅＮＢ要素を含み得る。追加の、または代替的な例において、ＬＴＥ ｅＮＢ要素およびＷＬＡＮアクセスポイント要素は、基地局ネットワーク機器１０５において配置されないことがあり得る。代わりに、ＬＴＥ ｅＮＢ要素およびＷＬＡＮアクセスポイント要素は、ファストリンク（fast link）を介して結合され得る。したがって、マルチＲＡＴ基地局ネットワーク機器１０５は、別個のＬＴＥおよびＷＬＡＮキャリア上でＵＥ １１５と通信するためにＷＷＡＮ基地局ネットワーク機器１０５とＷＬＡＮアクセスポイントネットワーク機器１０５の両方をインプリメントし得る。
【００３３】
[0045]  ある基地局ネットワーク機器１０５は、基地局ネットワーク機器１０５がＷＷＡＮとＷＬＡＮキャリアの両方上で１つまたは複数のＵＥと同時に通信し得るように、ＷＷＡＮ−ＷＬＡＮキャリアアグリゲーションをサポートし得る。そのような基地局ネットワーク機器１０５は、ＵＥ １１５に送信されるべきパケットを提供する、また、ＷＷＡＮとＷＬＡＮ ＲＡＴの両方上でＵＥ １１５からパケットを受信する、単一の無線リンク制御（ＲＬＣ）レイヤを有し得る。以下の図面に関してより詳細に説明されるように、ＷＷＡＮとＷＬＡＮ ＲＡＴキャリアのアグリゲーションをサポートする基地局ネットワーク機器１０５および／またはＵＥは、ＲＡＴのうちの少なくとも１つと関連付けられたハンドオーバイベントを識別することが可能であり得、識別されたハンドオーバイベントに基づいて（例えば、ＲＡＴのうちの少なくとも別の１つに関して）ネットワークトラヒックルーティングを適合させ得る。
【００３４】
[0046]  そして図２を参照すると、ワイヤレス通信システム２００の図が示される。ワイヤレス通信システム２００は、ＵＥ １１５−ａ、ＬＴＥ−ＷＬＡＮ基地局ネットワーク機器１０５−ａ、発展型パケットコア網（ＥＰＣ）１３０−ａ、ＩＰネットワーク２４５（例えば、セルラプロバイダと関連付けられたＩＰネットワークおよび／またはインターネット）を含み得る。ＵＥ １１５−ａ、ＬＴＥ−ＷＬＡＮ基地局ネットワーク機器１０５−ａ、ＥＰＣ １３０−ａは、図１のコアネットワーク１３０、基地局ネットワーク機器１０５、ＵＥ １１５のそれぞれの例であり得る。
【００３５】
[0047]  ＬＴＥ−ＷＬＡＮ基地局ネットワーク機器１０５−ａは、ＬＴＥ ｅＮＢとＷＬＡＮアクセスポイントの両方の機能性を組み合わせ得るおよび接続し得る。したがって、ＬＴＥ−ＷＬＡＮ基地局ネットワーク機器１０５ーａは、ｅＮＢ要素２１５とＷＬＡＮアクセスポイント要素２２０を含み得る。ＵＥ １１５−ａは、ＬＴＥ無線機２０５を使用してＬＴＥ−ＷＬＡＮ基地局ネットワーク機器１０５−ａのｅＮＢ要素２１５と通信し、ＷＬＡＮ無線機２１０を使用してＬＴＥ−ＷＬＡＮ基地局ネットワーク機器のＷＬＡＮアクセスポイント要素２２０と通信し得る。この例は、ＬＴＥに関するキャリアのアグリゲーションと、ＷＬＡＮ ＲＡＴと、ＥＰＣ １３０−ａとの関連で与えられる一方で、これらの原理は、他のタイプのＲＡＴに関するキャリアのアグリゲーション、および他のタイプのコアネットワーク１３０を使用することに適用され得ることが理解されるであろう。
【００３６】
[0048]  ｅＮＢ要素２１５とＷＬＡＮアクセスポイント要素２２０は、異なるＲＡＴに関するキャリアのアグリゲーションを使用して発展型パケットコア網１３０−ａへのアクセスをＵＥ １１５−ａに提供することが可能であり得る。具体的に、ＬＴＥ−ＷＬＡＮ基地局ネットワーク機器１０５−ａのｅＮＢ要素２１５は、第３世代パートナーシッププロジェクト（３ＧＰＰ）によって定義されるＬＴＥまたはＬＴＥ−アドバンストアクセス技術のＵｕインターフェース上で発展型パケットコア網１３０−ａへのアクセスを提供することがあり得、ＬＴＥ−ＷＬＡＮ基地局ネットワーク機器１０５−ａのＷＬＡＮアクセスポイント要素２２０は、電気電子技術者協会（ＩＥＥＥ：Institute of Electrical and Electronics Engineers）からの８０２．１１規格によって定義されるＷＬＡＮアクセス技術上で発展型パケットコア網１３０−ａへのアクセスを提供し得る。
【００３７】
[0049]  発展型パケットコア網１３０−ａは、３ＧＰＰの組織によって規格化された発展型パケットシステム（ＥＰＳ）アーキテクチャによって定義されるように、パケットデータネットワーク（ＰＤＮ）ゲートウェイ（ＰＤＮ−ＧＷ）２４０、サービングゲートウェイ（ＳＧＷ）２３５、ホーム加入者サーバ（ＨＳＳ）２３０、モビリティ管理エンティティ２２５を含み得る。いくつかの例において、これらのノードのうちの１つまたは複数は、同一のデバイスによってインプリメントされ得る。
【００３８】
[0050]  ＭＭＥは、ＵＥ １１５−ａとＥＰＣ １３０−ａとの間のシグナリングを処理する制御ノードであり得る。一般的には、ＭＭＥ ２２５は、ベアラおよび接続管理を提供し得る。ＭＭＥ ２２５は、したがって、アイドルモードＵＥのトラッキングおよびページング、ベアラのアクティブ化および非アクティブ化、ＵＥ １１５−ａに関するＳＧＷ選択を担うことがあり得る。ＭＭＥ ２２５は、Ｓ１−ＭＭＥインターフェース上のＬＴＥ−ＷＬＡＮ基地局ネットワーク機器１０５−ａのｅＮＢ要素２１５を通信し得る。ＭＭＥ ２２５は、追加的に、ＵＥ １１５−ａを承認することがあり得、ＵＥ１１５−ａでシグナリングしている非アクセス階層（ＮＡＳ）をインプリメントし得る。
【００３９】
[0051]  ＨＳＳ ２３０は、他の機能のなかでとりわけ、加入者データを記憶することと、ローミング制限を管理することと、加入者に関するアクセス可能なアクセスポイントネーム（ＡＰＮ）を管理することと、加入者をＭＭＥ ２２５と関連付けることを行い得る。ＨＳＳは、３ＧＰＰの組織によって規格化された発展型パケットシステム（ＥＰＳ）アーキテクチャによって定義づけられることによって定義づけられるＳ６ａインターフェース上でＭＭＥと通信し得る。
【００４０】
[0052]  ＬＴＥ ＲＡＴ上で送信された全てのユーザＩＰパケットは、ＳＧＷ ２３５を通して送信されることがあり得、それはＳ５シグナリングインターフェース上でＰＤＮ−ＧＷ ２４０と接続され、Ｓ１１シグナリングインターフェース上でＭＭＥと接続され、また、ＬＴＥ−ＷＬＡＮ基地局ネットワーク機器１０５−ａと接続され得る。ＳＧＷ ２３５は、ユーザプレーンにおいて存在することがあり得、ｅＮＢ間のハンドオーバおよび異なるアクセス技術間のハンドオーバに関するモビリティアンカーとしての機能を果たし得る。ＰＤＮーＧＷ ２４０は、ＵＥ ＩＰアドレスの割り当てならびに他の機能を提供し得る。
【００４１】
[0053]  ＰＤＮ−ＧＷ ２４０は、ＳＧｉシグナリングインターフェース上でＩＰネットワーク２４５などの１つまたは複数の外部パケットデータネットワークへの接続を提供し得る。ＩＰネットワーク２４５は、インターネット、イントラネット、ＩＰマルチメディアサブシステム（ＩＭＳ）、パケット交換（ＰＳ）ストリーミングサービス（ＰＳＳ）、および／または他のタイプのＰＤＮを含み得る。
【００４２】
[0054]  この例において、トラヒックがＬＴＥ上で流れる（flow）かＷＬＡＮ無線機リンク上で流れるかに関わらず、ＵＥ １１５−ａとＥＰＣ １３０ーａとの間のユーザプレーンデータは、１つまたは複数のＥＰＣベアラ２５０の同一のセットを横切る（traverse）ことがあり得る。１つまたは複数のＥＰＣベアラ２５０のセットに関したシグナリングまたは制御プレーンデータ２５５は、ＬＴＥ−ＷＬＡＮ基地局ネットワーク機器１０５−ａのｅＮＢ要素２１５を手段として（by way of）、ＥＰＣのＭＭＥ ２２５とＵＥ １１５−ａのＬＴＥ無線機２０５との間で送信され得る。したがって、ＵＥ １１５−ａのＷＬＡＮ無線機２１０とＷＬＡＮアクセスポイント要素２２０との間のリンクまたは結合は、ＷＬＡＮアクセスポイント要素２２０が配置されるか、さもなければそのベアラについて制御プレーンデータ２５５を扱う（handling）ｅＮＢ要素２１５との高速通信において配置される場合、ＥＰＣベアラに関するデータを搬送するために使用され得る。反対に、ＵＥ １１５−ａをサービングするＷＬＡＮアクセスポイントは、ｅＮＢ要素２１５と関連付けられていない、または直接結合されていない場合、ＵＥ １１５−ａによってＷＬＡＮ上で送られたトラヒックは、ＥＰＣベアラに到達する方法がない（not have a way to reach）ことがあり得る。代替的に、ＵＥ １１５−ａからＥＰＣベアラへのＷＬＡＮトラヒックのためのパスはあり得るが、そのようなパスは、ｅＮＢ要素２１５とＵＥ １１５−ａをサービングするＷＬＡＮアクセスポイントの間のバックホールを含むことがあり得、それは大きな遅延または低いスループットを引き起こすことがあり得、粗悪なユーザ経験をもたらし得る。
【００４３】
[0055]  この理由のため、図２において示されるように、ＵＥ １１５−ａが現在ＬＴＥキャリアとＷＬＡＮキャリアのアグリゲーションを使用するＬＴＥ−ＷＬＡＮ基地局ネットワーク機器１０５−ａとＥＰＣベアラデータを通信している場合、ＬＴＥ側のハンドオーバは、ＥＰＣベアラがＬＴＥハンドオーバのターゲットセルに由来する（originate）ように再構成され得るため、ＷＬＡＮ側でデータパスへの中断を引き起こし得る。同様に、ＷＬＡＮ側のハンドオーバは、ＥＰＣベアラがＷＬＡＮハンドオーバのターゲットＷＬＡＮアクセスポイントに利用可能でないことがあり得るため、ＷＬＡＮ側でデータパスへの中断を引き起こし得る。これらいずれかの場合において、ハンドオーバに続く（following the handover）ＷＬＡＮリンク上でＵＥによって送られたＥＰＣベアラに関するトラヒックは、ベアラがＵＥ １１５−ａと現在関連付けられるＷＬＡＮアクセスポイントにおいて利用可能でないことがあり得る為、ＷＬＡＮアクセスポイントにおいてドロップされ得る。このデータパケットのロスは、粗悪なユーザ経験をもたらし得る。
【００４４】
[0056]  そして図３Ａ、図３Ｂ、および図３Ｃを参照すると、ワイヤレス通信システム３００の図がハンドオーバイベントの前と後のそれぞれで示される。ワイヤレス通信システム３００は、ＵＥ １１５−ｂを含むことがあり得、第１のＬＴＥ−ＷＬＡＮ基地局ネットワーク機器１０５−ｂ、第２のＬＴＥ−ＷＬＡＮ基地局ネットワーク機器１０５−ｃ、コアネットワーク１３０−ｂを含み得る。ＵＥ １１５−ｂは、前の図を参照して上述されたＵＥ １１５の１つまたは複数の例であり得る。ＬＴＥ−ＷＬＡＮ基地局ネットワーク機器１０５−ｂ、１０５−ｃは、前の図を参照して上述された基地局ネットワーク機器１０５のうちの１つまたは複数の例であり得る。コアネットワーク１３０−ｂは、前の図を参照して上述されたコアネットワーク１３０のうちの１つまたは複数の例であり得る。
【００４５】
[0057]  特に図３Ａを参照すると、ハンドオーバイベントが発生する前に、ＵＥ １１５−ｂは、第１のＬＴＥ−ＷＬＡＮ基地局ネットワーク機器１０５−ｂのＷＬＡＮアクセスポイント１要素およびｅＮＢ １要素と通信し得る。ＵＥ １１５−ｂは、少なくとも１つのＷＬＡＮキャリアと少なくとも１つのＬＴＥキャリアのアグリゲーションに従ってＷＬＡＮ ＲＡＴとＬＴＥの両方上で同一の１つまたは複数のＥＰＣベアラによってサポートされるデータを通信し得る。上述されるように、ＥＰＣベアラ（複数を含む）は、ＥＰＣベアラ（複数を含む）に関するユーザプレーンデータがＬＴＥおよび／またはＷＬＡＮ ＲＡＴを使用するコアネットワーク１３０−ｂとＵＥ １１５−ｂとの間で通信され得る一方で、ＥＰＣベアラ（複数を含む）に関する制御シグナリングがＬＴＥ ＲＡＴを使用するコアネットワーク１３０−ｂとＵＥ １１５−ｂとの間で通信され得るように、ＬＴＥ−ＷＬＡＮ基地局ネットワーク機器１０５−ｂのｅＮＢ １要素においてセットアップされ得る。
【００４６】
[0058]  そして、特に図３Ｂを参照すると、第１のＬＴＥ−ＷＬＡＮ基地局ネットワーク機器１０５−ｂのｅＮＢ １要素とＵＥ １１５−ｂとの間のＬＴＥワイヤレスリンクは、第１のＬＴＥ−ＷＬＡＮ基地局ネットワーク機器１０５−ｂのｅＮＢ １要素から第２のＬＴＥ−ＷＬＡＮ基地局ネットワーク機器１０５−ｃのｅＮＢ ２要素へハンドオーバされ得る。ハンドオーバのターゲットが現在の例において第２のＬＴＥ−ＷＬＡＮ基地局ネットワーク機器１０５−ｃとして示される一方で、ハンドオーバのターゲットは配置されたおよび／または協調ＷＷＡＮおよびＷＬＡＮ要素を有する基地局ネットワーク機器である必要はないことが理解されるであろう。他の例において、ｅＮＢ １要素からハンドオーバのターゲットは、ＬＴＥ ｅＮＢまたは他のＷＷＡＮ基地局のみをインプリメントする基地局ネットワーク機器、またはＲＡＴ間のアグリゲーションをサポートしないＷＷＡＮおよびＷＬＡＮ要素を有する基地局ネットワーク機器であり得る。
【００４７】
[0059]  ＵＥ １１５−ｂのうちの少なくとも１つにおいて、第１のＬＴＥ−ＷＬＡＮ基地局ネットワーク機器１０５−ｂ、または第２のＬＴＥ−ＷＬＡＮ基地局ネットワーク機器１０５−ｃは、ハンドオーバが発生しようとしているまたは既に発生したことを示すハンドオーバイベントを検出し得る。この検出されたハンドオーバイベントおよびＬＴＥとＷＬＡＮ ＲＡＴとの間の識別された結合に基づいて、ワイヤレス通信システム３００の１つまたは複数のノードのネットトラヒックルーティングのルールが適合され得る。すなわち、ＵＥ １１５−ｂ、第１のＬＴＥ−ＷＬＡＮ基地局ネットワーク機器１０５−ｂ、または第２のＬＴＥ−ＷＬＡＮ基地局ネットワーク機器１０５−ｃのうちの少なくとも１つは、ＵＥ １１５−ｂとコアネットワーク１３０−ｂとの間のＥＰＣベアラ関連のトラヒックに関するルーティングのルールをアップデートし得る。アップデートされたルーティングのルールは、ハンドオーバの前のＷＬＡＮと関連付けられたであろうＥＰＣベアラトラヒックを戻してＬＴＥへ（back to LTE）導く（direct）ことがあり得、それによってハンドオーバに続く低減されたユーザ経験およびパケットのロスを回避する。
【００４８】
[0060]  説明されるように、ハンドオーバの決定は、ハンドオーバイベントが実際のハンドオーバの前または後のいずれかに識別される場合に発生し得る。ハンドオーバイベントが、ハンドオーバが差し迫っているがまだ発生していないと示す例において、ネットワークルーティングのルールは、ＥＰＣベアラ（複数を含む）に関するＷＬＡＮトラヒックをハンドオーバの前のＬＴＥキャリアへ移動させるためにアップデートされることがあり得、その結果、ハンドオーバによって引き起こされる中断を回避する。ハンドオーバイベントが、ハンドオーバが既に発生したと示す例において、ネットワークルーティングのルールは、ベアラ（複数を含む）に関するＷＬＡＮトラヒックをＬＴＥキャリアへ、または新しいＷＬＡＮキャリアへ移動させるためにアップデートされ得る。
【００４９】
[0061]  ある例において、ハンドオーバイベントは、第１のＬＴＥ−ＷＬＡＮ基地局ネットワーク機器１０５−ｂによって識別されたおよびそれに送信されたＵＥ １１５−ｂからの測定報告（measurement report）を含み得る。測定報告は、例えば、隣接ネットワークまたはセル（すなわち、潜在的なハンドオーバターゲット）この場合には、第２のＬＴＥ−ＷＬＡＮ基地局ネットワーク機器１０５−ｃ、の信号強度が第１のＬＴＥ−ＷＬＡＮ基地局ネットワーク機器１０５−ｂのそれよりも高いことを示し得る。
【００５０】
[0062]  追加または代替的な例において、ハンドオーバイベントは、ＵＥ １１５−ｂによって受信され、識別されたような（as）第１のＬＴＥ−ＷＬＡＮ基地局ネットワーク機器１０５−ｂからのハンドオーバ命令を含み得る。ある例において、このハンドオーバコマンドは、ＵＥ １１５−ｂに、指定されたターゲットセル、この場合、第２のＬＴＥ−ＷＬＡＮ基地局ネットワーク機器１０５−ｃへのハンドオーバを開始するように命令するラジオリソース制御（ＲＲＣ）接続再構成メッセージ（Radio Resource Control connection reconfiguration message)を含み得る。ハンドオーバコマンドは、ＵＥ １１５−ｂによって上述された測定報告の送信に応答し得る。
【００５１】
[0063]  追加的または代替的な例において、ハンドオーバイベントは、ＵＥ １１５−ｂまたは第１のＬＴＥ−ＷＬＡＮ基地局ネットワーク機器１０５−ｂにおいて識別されるような、セルラハンドオーバ処理の開始またはそれの準備を含み得る。さらなる例においては、ハンドオーバイベントは、現在のサービングセル（すなわち、第１のＬＴＥ−ＷＬＡＮ基地局ネットワーク機器１０５−ｂのｅＮＢ １要素）の無線リンク障害（ＲＬＦ）を含むことがあり得、それはＵＥ １１５−ｂの差し迫った、または完了した（complete）セルラハンドオーバを示し得る。追加的または代替的な例において、ハンドオーバイベントは、ＬＴＥ ＲＡＴと関連付けられたサービス品質（ＱｏＳ）がしきい値より落ちたという決定を含み得る。例えば、ＵＥ １１５−ｂまたは第１のＬＴＥ−ＷＬＡＮ基地局ネットワーク機器１０５−ｂは、ＬＴＥ ＲＡＴのＱｏＳがＥＰＣベアラと関連付けられた保証されたＱｏＳレベルより落ちたと決定する場合、ＵＥ １１５−ｂまたは第１のＬＴＥ−ＷＬＡＮ基地局ネットワーク機器１０５−ｂは、ＬＴＥ ＲＡＴにおけるＬＴＥハンドオーバが差し迫っていることを推測（infer）し得る。
【００５２】
[0064]  追加的または代替的な例において、ハンドオーバイベントはＵＥ １１５ーｂからのメッセージ、第１のＬＴＥ−ＷＬＡＮ基地局ネットワーク機器１０５−ｂ、またはハンドオーバに関わっている他のノードのうちの１つまたは複数への第２のＬＴＥ−ＷＬＡＮ基地局ネットワーク機器１０５−ｃを含むことがあり得、メッセージはハンドオーバが発生しようとしている、または既に発生したことを示す。
【００５３】
[0065]  そして、図３Ｃを参照して、追加的または代替的な例において、識別されたハンドオーバイベントは、ＷＬＡＮハンドオーバの発生または切迫（imminence）に関連し得る。そのような例において、ハンドオーバイベントは、ＵＥ １１５−ｂまたは第１のＬＴＥ−ＷＬＡＮ基地局ネットワーク機器１０５−ｂによって、ターゲットＷＬＡＮアクセスポイントが現在のＷＬＡＮアクセスポイント（すなわち、第１のＬＴＥ−ＷＬＡＮ基地局ネットワーク機器１０５−ｂのＷＬＡＮアクセスポイント要素）よりも適切であるという検出を含み得る。ターゲットＷＬＡＮアクセスポイントは、例えば、より低いチャネル利用、より高いチャネル品質、より速いバックホール、および／またはサービスのより低い経済的コストに基づいて、より適切であると決定され得る。
【００５４】
[0066]  ハンドオーバイベントがＵＥ１１５−ｂまたはＬＴＥ−ＷＬＡＮ基地局ネットワーク機器１０５のうちの１つにおいて識別されると、ＬＴＥ−ＷＬＡＮ基地局ネットワーク機器１０５のうちの１つまたはＵＥ １１５−ｂにおいて、ハンドオーバイベントによって示されたハンドオーバは、ＬＴＥとＷＬＡＮ ＲＡＴの両方上でＵＥ １１５−ｂとコアネットワーク１３０−ｂとの間の同一のベアラに関するトラヒックの送信に影響を及ぼす（affect）という決定がなされ得る。この決定およびハンドオーバイベントに基づいて、ワイヤレス通信システム３００の１つまたは複数のコンポーネントのネットトラヒックルーティングのルールが適合され得る。多くの場合において、ネットトラヒックルーティングのルールは、ベアラ（複数を含む）に関するＷＬＡＮトラヒックをＬＴＥへ移動させるように適合され得る。
【００５５】
[0067]  ある例において、ネットワークトラヒックルーティングは、ＵＥ １１５−ｂ、第１のＬＴＥ−ＷＬＡＮ基地局ネットワーク機器１０５−ｂ、第２のＬＴＥ−ＷＬＡＮ基地局ネットワーク機器１０５−ｃのうちの１つまたは複数に関するネットワークレイヤ（例えば、インターネットプロトコル）ルーティングテーブルを変更することによって適合され得る。ネットワークレイヤルーティングテーブルは、複数のエントリを含むことがあり得、各エントリは通知されたパスと関連付けられたコストとＩＰアドレスの範囲またはあて先のＩＰアドレスへのパスを通知する。ＵＥ １１５−ｂは、したがって、問題になっているＥＰＣベアラ（複数を含む）に関するアップリンクトラヒックと関連付けられたエントリのどれもＵＥ １１５−ｂのＷＬＡＮインターフェースを通してルートを通知しないように、そのルーティングテーブルを変更し得る。同様に、ＬＴＥ−ＷＬＡＮ基地局ネットワーク機器１０５のうちの１つまたは両方は、問題になっているＥＰＣベアラ（複数を含む）に関するダウンリンクトラヒックと関連付けられたエントリのどれもＬＴＥ−ＷＬＡＮ基地局ネットワーク機器１０５のＷＬＡＮインターフェースを通してルートを通知しないように、それらのルーティングテーブルを変更し得る。さらに他の例において、ＵＥ １１５−ｂは、ＵＥ １１５−ｂのＷＬＡＮインターフェースを通るルートと関連付けられる通知されたコストが調整されるように、そのルーティングテーブルを変更し得る。
【００５６】
[0068]  追加的に、または代替的に、ネットワークトラヒックルーティングは、検出されたハンドオーバイベントに応答してネットワークプロトコルスタックの１つまたは複数の他のレイヤにおいて適合され得る。例えば、ネットワークトラヒックルーティングは、問題になっているベアラ（複数を含む）に関するアップリンクトラヒックがどれも、ＷＬＡＮ ＲＡＴ（すなわち、ＷＬＡＮ送信キューに追加された）上での送信についてスケジュールされていないことを保証するために、ＵＥにおいて少なくとも１つのセントラルスケジューリングルール（central scheduling rule）を変更することによって適合され得る。追加的にまたは代替的に、少なくとも１つのスケジューリングルールは、問題になっているベアラ（複数を含む）に関するダウンリンクトラヒックがどれも、ＷＬＡＮ ＲＡＴ上での送信についてスケジュールされていないことを保証するために、ＬＴＥ−ＷＬＡＮ基地局ネットワーク機器１０５のうちの１つまたは複数において変更され得る。
【００５７】
[0069]  追加的または代替的な例において、検出されたハンドオーバイベントが、ハンドオーバがまだ発生していないことを示す場合、ネットワークトラヒックルーティングは、既に第２のＲＡＴにルーティングされた第１のＬＴＥ−ＷＬＡＮ基地局ネットワーク機器１０５−ｂまたはＵＥ １１５−ｂにおいて保留中のネットワークトラヒックの送信の後まで、ハンドオーバを遅延させるＬＴＥ−ＷＬＡＮ基地局ネットワーク機器１０５のうちの１つまたはＵＥ １１５−ｂによって適合され得る。
【００５８】
[0070]  追加的または代替的な例において、ＵＥ １１５−ｂは、ＵＥ １１５−ｂを第１のＬＴＥ−ＷＬＡＮ基地局ネットワーク機器１０５−ｂのＷＬＡＮ ＡＰ １要素から分離することによってネットワークトラヒックルーティングを適合させることがあり得、（例えば、第１のＬＴＥ−ＷＬＡＮ基地局ネットワーク機器１０５−ｂのＷＬＡＮ ＡＰ １要素から第２のＬＴＥ−ＷＬＡＮ基地局ネットワーク機器１０５−ｃのＷＬＡＮ ＡＰ ２要素への）ＵＥ １１５−ｂのＷＬＡＮハンドオーバを開始するまたはＵＥ １１５−ｂにおいてＷＬＡＮを非アクティブ化させる。
【００５９】
[0071]  ある例において、ＵＥ １１５−ｂは、第１のＷＬＡＮポート上でＥＰＣベアラと関連付けられたＷＬＡＮトラヒックを、および第２のＷＬＡＮポート上で他のＷＬＡＮトラヒック（例えば、ダイレクトインターネット（direct Internet）またはＬＡＮの接続性）を送信し得る。そのような場合において、ハンドオーバイベントを識別することと、ハンドオーバイベントによって示されるハンドオーバが、同一のＥＰＣベアラによってサポートされるＷＷＡＮとＷＬＡＮトラヒックのアグリゲーションに影響を及ぼし得ると決定することと、識別されたハンドオーバイベントに基づいてネットワークトラヒックルーティングを適合させることの機能は、第２のポートではなく、第１のポートに関して実行され得る。すなわち、上述された機能は、ある例において、ＵＥ １１５−ｂとコアネットワーク１３０−ａとの間のＥＰＣ−ベアラ関連のＷＬＡＮトラヒックのみに適用され得るが、ＵＥ １１５−ｂの他のＷＬＡＮトラヒックには適用されないことがあり得る。したがって、ＷＬＡＮトラヒックがＵＥ １１５−ｂにおけるポートのセットと関連付けられる場合、ネットワークトラヒックルーティングはハンドオーバイベントに応答してポートのセットのサブセットのみに適合され得る。
【００６０】
[0072]  そして上記の例の関連で図４を参照すると、ハンドオーバイベントの識別がＵＥ １１５−ｃにおいて発生し、ネットワークトラヒックルーティングの適合は、ネットワーク側（例えば、ダウンリンクトラヒックについて）上の変更を含む場合、ＵＥは、ネットワーク側のルーティングの変更をトリガするために、基地局ネットワーク機器１０５−ｄにメッセージを送り得る。図４は、識別されたハンドオーバイベントに応答してネットワーク側のルーティングの変更をトリガするプロセス４００の一例を例示する。ＵＥ １１５−ｃおよびネットワーク機器１０５−ｄは、前の図を参照して上述されたネットワーク機器１０５とＵＥ １１５のうちの１つまたは複数の例であり得る。
【００６１】
[0073]  ブロック４０５において、ＵＥ １１５−ｃは、ハンドオーバイベントを検出し得る。ハンドオーバイベントはセルラハンドオーバまたはＷＬＡＮハンドオーバイベントのいずれかであり得ることが理解され得る。例示された例において、ＵＥ １１５−ｃは、ＵＥ １１５−ｃのハンドオーバがＵＥ １１５−ｃによってインプリメントされたセルラＷＷＡＮ ＲＡＴについて差し迫っているまたは発生したことを示すハンドオーバイベントを識別し得る。ある例において、ハンドオーバイベントの前にＵＥ １１５−ｃとネットワーク機器１０５−ｄは、第１のＲＡＴ（例えば、セルラＷＷＡＮ ＲＡＴ）および第２のＲＡＴ（例えば、ＷＬＡＮ ＲＡＴ）からのキャリアの結合またはアグリゲーション上で同一の１つまたは複数のＥＰＣベアラ（複数を含む）によってサポートされるトラヒックを通信し得る。ＲＡＴ間の識別された結合およびハンドオーバイベントに基づいて、ＵＥ １１５−ｃは、ハンドオーバイベントによって示されたハンドオーバが両方のＲＡＴ上でＵＥ １１５−ｃとネットワーク機器１０５−ｄとの間の同一のＥＰＣベアラによってサポートされるネットワークトラヒックを通信し続けるＵＥ １１５−ｃの能力に有害な影響を与え得るという決定をし得る。したがって、ＵＥ １１５−ｃは、ネットワークトラヒックルーティングにける変更を要求するネットワーク機器１０５−ｄへメッセージ４１０を送信し得る。例えば、メッセージ４１０は、ＷＬＡＮ ＲＡＴというよりむしろセルラＷＷＡＮ ＲＡＴのキャリア上のＥＰＣベアラに関する全てのダウンリンクトラヒックをルーティングするためにネットワーク機器１０５−ｄを要求し得る。
【００６２】
[0074]  ブロック４１５において、ネットワーク機器１０５−ｄは１つまたは複数のＷＬＡＮ ＲＡＴキャリアからＷＷＡＮ ＲＡＴキャリアのうちの１つまたは複数へＥＰＣベアラ（複数を含む）に関するダウンリンクトラヒックにネットワークトラヒックルーティングを適合させ得る。ブロック４２０において、ＵＥ １１５−ｃは１つまたは複数のＷＬＡＮ ＲＡＴキャリアから１つまたは複数のＷＷＡＮ ＲＡＴキャリアへＥＰＣベアラ（複数を含む）に関するアップリンクトラヒックにネットワークトラヒックルーティングを適合させ得る。
【００６３】
[0075]  そして上記の例の関連で図５を参照すると、ハンドオーバイベントの識別がネットワーク機器１０５−ｅにおいて発生し、ネットワークトラヒックルーティングの適合は、ＵＥ側（例えば、アップリンクトラヒックについて）上の変更を含む場合、ネットワーク機器１０５−ｅは、ＵＥ側のルーティングの変更をトリガするために、ＵＥ １１５−ｄにメッセージを送り得る。図５は、識別されたハンドオーバイベントに応答してＵＥ側のルーティングの変化をトリガするプロセス４００の一例を例示する。ＵＥ １１５−ｄおよびネットワーク機器１０５−ｅは、前の図を参照して上述されたネットワーク機器１０５とＵＥ １１５のうちの１つまたは複数の例であり得る。
【００６４】
[0076]  ブロック５０５において、ネットワーク１０５−ｅは、ハンドオーバイベントを検出し得る。ハンドオーバイベントはセルラハンドオーバまたはＷＬＡＮハンドオーバイベントのいずれかであり得ることが理解され得る。例示された例において、ネットワーク機器１０５−ｅは、ＵＥ １１５−ｄのハンドオーバがＵＥ １１５−ｄによってインプリメントされたセルラＷＷＡＮ ＲＡＴについて差し迫っているまたは発生したことを示すハンドオーバイベントを識別し得る。ある例において、ハンドオーバイベントの前にネットワーク機器１０５−ｅとＵＥ １１５−ｄは、第１のＲＡＴ（例えば、セルラＷＷＡＮ ＲＡＴ）および第２のＲＡＴ（例えば、ＷＬＡＮ ＲＡＴ）からのキャリアの結合またはアグリゲーション上で同一の１つまたは複数のＥＰＣベアラ（複数を含む）によってサポートされるトラヒックを通信し得る。ネットワーク機器１０５−ｅにおける第１と第２のＲＡＴ間の識別された結合およびハンドオーバイベントに基づいて、ネットワーク機器１０５−ｅは、ハンドオーバイベントによって示されたハンドオーバが両方のＲＡＴ上で同一のＥＰＣベアラによってサポートされるネットワークトラヒックを通信し続けるＵＥ １１５−ｄの能力に有害な影響を与え得ると決定し得る。したがって、ネットワーク機器１０５−ｅは、ネットワークトラヒックルーティングにおける変更を要求するメッセージ５１０をＵＥ １１５−ｄへ送信し得る。例えば、メッセージ５１０は、ＷＬＡＮ ＲＡＴというよりむしろセルラＷＷＡＮ ＲＡＴのキャリア上のＥＰＣベアラ（複数を含む）に関する全てのアップリンクトラヒックをルーティングするためにＵＥ １１５−ｄを要求し得る。
【００６５】
[0077]  ブロック５１５において、ＵＥ １１５−ｄは１つまたは複数のＷＬＡＮ ＲＡＴキャリアからＷＷＡＮ ＲＡＴキャリアのうちの１つまたは複数へＥＰＣベアラ（複数を含む）に関するアップリンクトラヒックにネットワークトラヒックルーティングを適合させ得る。ブロック５２０において、ネットワーク機器１０５−ｅは１つまたは複数のＷＬＡＮ ＲＡＴキャリアから１つまたは複数のＷＷＡＮ ＲＡＴキャリアへＥＰＣベアラ（複数を含む）に関するダウンリンクトラヒックにネットワークトラヒックルーティングを適合させ得る。
【００６６】
[0078]  そして、図６を参照すると、例示的マルチモードＵＥ １１５−ｅのブロック図６００が示される。ＵＥ １１５−ｅは、前の図を参照して上述されたＵＥ １１５のうちの１つまたは複数の例であり得る。ＵＥ １１５−ｅは、ＷＷＡＮ無線機６０５、ＷＬＡＮ無線機６１０、ネットワーク機器通信モジュール６１５、ハンドオーバイベントモジュール６２０、ルート適合モジュール６２５を含み得る。これらコンポーネントの各々は、直接または間接的に通信していることがあり得る。
【００６７】
[0079]  ＷＷＡＮ無線機６０５は、セルラＷＷＡＮ ＲＡＴ（例えば、ＬＴＥ／ＬＴＥ−Ａ、ｅＨＲＰＤ、ＥＶ−ＤＯ、１ｘ／ＨＲＰＤ、等）の１つまたは複数のキャリア上でネットワーク機器（例えば、前の図のネットワーク機器１０５）と通信するように構成され得る。ＷＬＡＮ無線機６１０は、ＷＬＡＮ ＲＡＴの１つまたは複数のキャリア上でネットワーク機器と通信するように構成され得る。
【００６８】
[0080]  ネットワーク機器通信モジュール６１５は、ＷＷＡＮ ＲＡＴとＷＬＡＮ ＲＡＴ上でネットワーク機器とＵＥとの間の通信を確立するように構成され得る。特に、ネットワーク機器通信モジュール６１５は、ネットワーク機器通信モジュール６１５によって識別された少なくとも１つのＷＬＡＮキャリアと少なくとも１つのＷＷＡＮキャリアの結合またはアグリゲーションに従って、ＷＬＡＮ ＲＡＴおよびＷＷＡＮ ＲＡＴ上で同一のＥＰＣベアラまたはＥＰＣベアラのセットによってサポートされるネットワークトラヒックの通信をスケジュールし得るまたは調整（coordinate）し得る。
【００６９】
[0081]  ハンドオーバイベントモジュール６２０は、本明細書の原理に従って、ＲＡＴのうちの少なくとも１つと関連付けられたハンドオーバイベントを識別するように構成され得る。ハンドオーバイベントは、ＲＡＴのうちの１つ上のＵＥのハンドオーバが既に発生したまたは差し迫っていることを示し得る。ハンドオーバイベントモジュール６２０は、ハンドオーバイベントによって示されたハンドオーバが、ＵＥの第１のＲＡＴと第２のＲＡＴの両方上で同一のＥＰＣベアラ（複数を含む）によってサポートされるネットワークトラヒックを通信し続ける能力に影響を及ぼし得るとさらに決定し得る。
【００７０】
[0082]  ルート適合モジュール６２５は、識別されたハンドオーバイベントに少なくとも部分的に基づいてネットワークトラヒックルーティングを適合させるように構成され得る。両方のＲＡＴに関するトラヒックを伝達するために、ハンドオーバイベントのターゲットが共通のベアラの使用をサポートしない場合、ルート適合モジュール６２５は、第１と第２のＲＡＴとの間の結合を解除することによってＵＥ １１５−ｅにおいてネットワークトラヒックルーティングを適合させ得る。結合を解除することは、ＲＡＴのうちの１つ上で共通のベアラと関連付けられた全てのトラヒックをルーティングすることを備え得る。追加的にまたは代替的に、ルート適合モジュール６２５は、ＵＥによって記憶されたネットワークレイヤ（例えば、ＩＰレイヤ）ルーティングテーブルを変更すること、ＷＷＡＮおよびＷＬＡＮ間のコアネットワークとＵＥとの間でアップリンクトラヒックを分散することと関連付けられた少なくとも１つのサブ−ＩＰレイヤスケジューリングルールを変更すること、またはＵＥにおいてネットワークトラヒックルーティングを変更するために他の適切な措置（measures）をとることによって、ＵＥ １１５−ｅにおけるネットワークトラヒックルーティングを適合させ得る。第１のＲＡＴのハンドオーバのターゲットが第１および第２のＲＡＴの両方上でＵＥに関するトラヒックを伝達するために共通のベアラの使用をサポートするかの決定に応答してこれらの措置のうちの１つまたは複数がとられ得る。ルート適合モジュール６２５は、追加的にまたは代替的に、ＷＷＡＮまたはＷＬＡＮのうちの１つのみの上でＥＰＣベアラと関連付けられたネットワークトラヒックを向ける（direct）ために、そのトラヒックルーティングを適合させるためにネットワーク機器に要求または命令するように構成され得る。ある例において、ルート適合モジュール６２５は、ネットワークトラヒックルーティングを適合させる前にデータ送信を行い得る。
【００７１】
[0083]  そして、図７を参照すると、マルチモードＵＥ １１５−ｆのより詳細な例のブロック図７００が示される。ＵＥ １１５−ｆは、前の図を参照して上述されたＵＥ １１５のうちの１つまたは複数の例であり得る。ＵＥ １１５−ｆは、ＷＷＡＮ無線機６０５、ＷＬＡＮ無線機６１０、ネットワーク機器通信モジュール６１５−ａ、ハンドオーバイベントモジュール６２０−ａ、ルート適合モジュール６２５−ａ、プロセッサ７０５、メモリ７１０を含み得る。これらコンポーネントの各々は、直接または間接的に通信していることがあり得る。ある例において、プロセッサ７０５は、ＷＷＡＮ無線機６０５、ＷＬＡＮ無線機６１０、ネットワーク機器通信モジュール６１５−ａ、ハンドオーバイベントモジュール６２０−ａまたはルート適合モジュール６２５−ａと関連付けられた機能のうちの１つまたは複数を実行するためにメモリ７１０上に記憶されたコンピュータ可読プログラムコードを実行するように構成され得る。追加的または代替的に、これらのコンポーネントと関連付けられた１つまたは複数の機能は、ＡＳＩＣまたは各コンポーネントと関連付けられた機能性を行うために配置され（arranged）および相互に関連した（interconnected）、他の特殊用途または汎用ハードウェアによってインプリメントされ得る。
【００７２】
[0084]  ネットワーク機器通信モジュール６１５−ａは、ＷＬＡＮ無線機６１０を使用するＷＬＡＮ ＲＡＴ上で、およびＷＷＡＮ無線機６０５を使用するＷＷＡＮ ＲＡＴ上でネットワーク機器とＵＥ １１５−ｆとの間の通信を確立するように構成され得る。
【００７３】
[0085]  ネットワーク機器通信モジュール６１５−ａは、ＵＥ １１５−ｆとネットワーク機器との間の通信においてＷＬＡＮ ＲＡＴとＷＷＡＮ ＲＡＴの結合を識別するように構成された結合識別モジュール７１８を含み得る。例えば、ネットワーク機器通信モジュール６１５−ａは、ＷＷＡＮ ＲＡＴとＷＬＡＮ ＲＡＴ上のネットワーク機器とＵＥとの間で通信されるネットワークトラヒックが少なくとも１つの共通のベアラによってサポートされると決定し得る。ある例において、結合識別モジュール７１８は、ＷＬＡＮ ＲＡＴの少なくとも１つのキャリアとＷＷＡＮ ＲＡＴの少なくとも１つのキャリアのキャリアアグリゲーションを識別し得る。追加的または代替的な例において、結合識別モジュール７１８は、ネットワーク機器が配置されたワイドエリアネットワーク（ＷＡＮ）とワイヤレスエリアネットワーク（ＷＬＡＮ）要素を含むという決定に基づいてＷＬＡＮ ＲＡＴとＷＷＡＮ ＲＡＴの結合を識別し得る。追加的または代替的な例において、結合識別モジュール７１８は、ＲＡＴのうちの１つ上でネットワーク機器から受信されたユニキャストメッセージに基づいてＷＬＡＮ ＲＡＴとＷＷＡＮ ＲＡＴの結合を識別することがあり得、メッセージは、ＷＷＡＮ ＲＡＴとＷＬＡＮ ＲＡＴとの間の結合を示す。追加的または代替的な例において、結合識別モジュール７１８は、ＲＡＴのうちの１つ上で受信されたブロードキャストメッセージに基づいてＷＬＡＮ ＲＡＴとＷＷＡＮ ＲＡＴの結合を識別することがあり得、メッセージは、ＷＷＡＮ ＲＡＴとＷＬＡＮ ＲＡＴとの間での結合を通知する。
【００７４】
[0086]  ネットワーク機器通信モジュール６１５−ａは、スケジューラモジュール７２０とチャネル測定と報告モジュール７２５を追加的に含み得る。スケジューラモード７２０は、ＷＷＡＮとＷＬＡＮプロトコルに従ってネットワーク機器への送信に関するＷＬＡＮ無線機６１０とＷＷＡＮ無線機６０５との間で無線リンクコントローラ（ＲＬＣ）パケットを分散するおよび、統一されたＲＬＣレイヤから１つまたは複数のＥＰＣベアラに関するＲＬＣパケットを受信するように構成され得る。スケジューラモジュール７２０は、ＲＡＴ間でＲＬＣを分散するための１つまたは複数のルールをインプリメントし得る。チャネル測定および報告モジュール７２５は、ＷＬＡＮ ＲＡＴまたはＷＷＡＮ ＲＡＴの両方または１つに関するパラメータとチャネル状態を測定し、ネットワーク機器に測定されたチャネル状態およびパラメータを報告し得る。
【００７５】
[0087]  ハンドオーバイベントモジュール６２０ーａは、ＲＡＴのうちの少なくとも１つと関連付けられたハンドオーバイベントを識別するように構成され得る。ハンドオーバイベントモジュール６２０−ａは、隣接セルが１１５−ｆの現在のＷＷＡＮまたはＷＬＡＮサービングセルより優良な信号強度を有するという決定に基づいて、ハンドオーバイベントを識別するように構成された隣接セル分析モジュール７３０を含み得る。この決定に基づいて、隣接セル分析モジュール７３０は、隣接セルへのハンドオーバが差し迫っていると決定し得る。
【００７６】
[0088]  ハンドオーバイベントモジュール６２０−ａはさらに、ネットワーク機器から受信された１つまたは複数のメッセージを分析し、そのメッセージ（複数を含む）からハンドオーバイベントを識別するように構成されたネットワーク機器メッセージ処理モジュール７３５を含み得る。例えば、ネットワーク機器メッセージ処理モジュール７３５は、ＷＷＡＮ無線機と関連付けられたネットワーク機器からハンドオーバ命令を受信し、その命令メッセージに基づいて、ハンドオーバが発生しようとしていると決定し得る。ある例において、ネットワーク機器からのハンドオーバ命令は、チャネル測定および報告モジュール７２５によって生成されたチャネル状態の測定報告に応答することがあり得、ネットワーク機器へ送信され得る。測定報告は、例えば、隣接セルがＵＥ １１５−ｆと関連付けられた現在のサービングセルより優良な信号強度を有するというインジケーションを含み得る。追加的にまたは代替的に、ネットワーク機器メッセージ処理モジュール７３５は、ハンドオーバイベントがネットワーク機器から発生したまたは差し迫っているというインジケーションを受信することによってハンドオーバイベントを識別し得る。
【００７７】
[0089]  ハンドオーバイベントモジュール６２０−ａはさらに、ＵＥ １１５−ｆと関連付けられた現在のＷＷＡＮサービングセルの無線リンク障害（ＲＬＦ）を検出することによってハンドオーバイベントを識別するように構成されたチャネル分析モジュール７４０を含むことがあり得、新しいサービングセルへのＵＥ １１５−ｆの関連した接続またはハンドオーバが差し迫っているかを推測し得る。追加的または代替的に、チャネル分析モジュール７４０は、ＲＡＴのうちの１つまたは複数と関連付けられたサービス品質（ＱｏＳ）がしきい値よりも下がったと決定し、ＲＡＴのうちの１つ上でＵＥのハンドオーバがその結果として差し迫っていると決定し得る。
【００７８】
[0090]  ハンドオーバイベント分析モジュール７４５は、ハンドオーバイベントに基づいて、ハンドオーバイベントによって示されるハンドオーバが現在のレートでＷＷＡＮとＷＬＡＮ ＲＡＴの両方上でＥＰＣベアラトラヒックを通信し続けるＵＥ １１５−ｆの能力に影響を及ぼし得るかを決定するように構成され得る。この分析は、ハンドオーバイベントに基づいて、ＷＷＡＮ ＲＡＴへＷＬＡＮ ＲＡＴと関連付けられたＥＰＣベアラトラヒックを移動させるためにＵＥ １１５−ｆと結合されたネットワーク機器および／またはＵＥ １１５−ｆにおいてネットワークルーティングを適合させるためにルート適合モジュール６２５−ａをトリガし得る。
【００７９】
[0091]  ルート適合モジュール６２５−ａは、ＷＷＡＮ ＲＡＴへ全てのＥＰＣベアラトラヒックを移動させるためにＵＥ １１５−ｆにおいて記憶されたルーティングテーブルの１つまたは複数のエントリを追加、削除、または変更することを適合させる（adapt add, delete, or modify）ように構成されたルーティングテーブル変更モジュール７５０を含み得る。
【００８０】
[0092]  ルート適合モジュール６２５−ａはさらに、ＷＷＡＮとＷＬＡＮ ＲＡＴとの間のＥＰＣとＵＥとの間のアップリンクＥＰＣベアラトラヒックを分散するためにスケジューラモジュール７２０によってインプリメントされた１つまたは複数のスケジューリングルールを追加、削除、または変更するように構成されたスケジューリングルール変更モジュール７５５を含み得る。
【００８１】
[0093]  ルート適合モジュール６２５−ａはさらに、ＷＬＡＮ ＲＡＴと関連付けられたダウンリンクベアラトラヒックがＷＷＡＮ ＲＡＴへ移動されるように、ネットワーク機器からＵＥ １１５−ｆへダウンリンクトラヒックのルーティングを変更する要求をネットワーク機器へ送信するように構成されたネットワーク機器要求モジュール７６０を含み得る。
【００８２】
[0094]  ルート適合モジュール６２５−ａはさらに、（例えば、ＷＬＡＮ無線機へ既にルーティングされた保留中のネットワークトラヒックの送信の後まで）ＷＬＡＮ ＲＡＴ上で送信されるべきである保留中のネットワークデータトラヒックの量に基づいてハンドオーバイベントによって示されたハンドオーバを遅延させるように構成されたハンドオーバ遅延モジュール７６５を含み得る。
【００８３】
[0095]  ルート適合モジュール６２５−ａはさらに、ハンドオーバイベントによって示されたハンドオーバに応答してＷＬＡＮ無線機６１０上でＵＥ １１５−ｆの接続を変更するように構成された接続変更モジュール７７０を含み得る。接続変更は、ＷＬＡＮ接続からＵＥ １１５−ｆを分離することと、ＷＬＡＮ ＲＡＴ上でＵＥ １１５−ｆのハンドオーバを開始することと、および／またはＷＬＡＮ ＲＡＴを非アクティブ化することとを含み得る。
【００８４】
[0096]  そして、図８を参照すると、マルチモードネットワーク機器１０５−ｆの例のブロック図８００が示される。ネットワーク機器１０５−ｆは、前の図を参照して上述されたネットワーク機器１０５のうちの１つまたは複数の例であり得る。ネットワーク機器１０５−ｆは、ＷＷＡＮ無線機８０５、ＷＬＡＮ無線機８１０、ＵＥ通信モジュール８１５、ハンドオーバイベントモジュール８２０、ルート適合モジュール８２５を含み得る。これらコンポーネントの各々は、直接または間接的に通信していることがあり得る。
【００８５】
[0097]  ＷＷＡＮ無線機８０５は、セルラＷＷＡＮ ＲＡＴ（例えば、ＬＴＥ／ＬＴＥ−Ａ、ｅＨＲＰＤ、ＥＶ−ＤＯ、１ｘ／ＨＲＰＤ、等）の１つまたは複数のキャリア上でＵＥ（例えば、前の図のＵＥ １１５）と通信するように構成され得る。ＷＬＡＮ無線機６１０は、ＷＬＡＮ ＲＡＴの１つまたは複数のキャリア上でＵＥと通信するように構成され得る。
【００８６】
[0098]  ＵＥ通信モジュール８１５は、ＷＷＡＮ ＲＡＴとＷＬＡＮ ＲＡＴ上でネットワーク機器とＵＥとの間の通信を確立するように構成され得る。特に、ＵＥ通信モジュール８１５は、ＵＥ通信モジュール８１５によって識別された少なくとも１つのＷＬＡＮキャリアと少なくとも１つのＷＷＡＮキャリアの結合またはアグリゲーションに従って、ＷＬＡＮ ＲＡＴおよびＷＷＡＮ ＲＡＴ上でＵＥと同一のＥＰＣベアラまたはＥＰＣベアラのセットに関するネットワークトラヒックの通信をスケジュールし得るまたは調整し得る。
【００８７】
[0099]  ハンドオーバイベントモジュール８２０は、本明細書の原理に従って、ＲＡＴのうちの少なくとも１つと関連付けられたハンドオーバイベントを識別するように構成され得る。ハンドオーバイベントは、ＲＡＴのうちの１つ上のＵＥのハンドオーバが既に発生したまたは差し迫っていることを示し得る。ハンドオーバイベントモジュール８２０はさらに、ハンドオーバイベントによって示されたハンドオーバが、第１のＲＡＴおよび第２のＲＡＴの両方上で同一のＥＰＣベアラ（複数を含む）によってサポートされるネットワークトラヒックを通信し続けるネットワーク機器の能力に影響を及ぼし得ると決定し得る。
【００８８】
[0100]  ルート適合モジュール８２５は、識別されたハンドオーバイベントに少なくとも部分的に基づいてネットワークトラヒックルーティングを適合させるように構成され得る。ルート適合モジュール８２５は、ハンドオーバイベントのターゲットが両方のＲＡＴに関してトラヒックを伝達するために共通のベアラの使用をサポートしない場合、第１と第２のＲＡＴの間の結合を解除することによってネットワーク機器１０５−ｆにおいてネットワークトラヒックルーティングを適合させ得る。結合を解除することは、ＲＡＴのうちの１つ上で共通のベアラと関連付けられた全てのトラヒックをルーティングすることを含み得る。追加的にまたは代替的に、ルート適合モジュール８２５は、ネットワーク機器１０５−ｆによって記憶されたネットワークレイヤ（例えば、ＩＰレイヤ）ルーティングテーブルを変更すること、ＷＷＡＮおよびＷＬＡＮの間のコアネットワークからダウンリンクトラヒックを分散することと関連付けられた少なくとも１つのサブ−ＩＰレイヤスケジューリングルールを変更すること、またはネットワーク機器１０５−ｆにおけるネットワークトラヒックルーティングを変更するための他の適切な措置を取ることによって、ネットワーク機器１０５−ｆにおけるネットワークトラヒックルーティングを適合させ得る。第１のＲＡＴのハンドオーバのターゲットが第１と第２のＲＡＴの両方上でＵＥに関するトラヒックを伝達するために共通のベアラの使用をサポートするかの決定に応答してこれらの措置のうちの１つまたは複数がとられ得る。ルート適合モジュール８２５は、追加的にまたは代替的に、ＷＷＡＮまたはＷＬＡＮのうちの１つのみの上でＥＰＣベアラと関連付けられたネットワークトラヒックを向けるために、そのネットワークトラヒックルーティングを適合させるようにＵＥに要求または命令するように構成され得る。
【００８９】
[0101]  そして、図９を参照すると、マルチモードネットワーク機器１０５−ｇのより詳細な例のブロック図９００が示される。ネットワーク機器１０５−ｇは、前の図を参照して上述されたネットワーク機器１０５のうちの１つまたは複数の例であり得る。ネットワーク機器１０５−ｇは、ＷＷＡＮ無線機８０５、ＷＬＡＮ無線機８１０、ＵＥ通信モジュール８１５−ａ、ハンドオーバイベントモジュール８２０−ａ、ルート適合モジュール８２５−ａ、プロセッサ９０５、メモリ９１０を含み得る。これらコンポーネントの各々は、直接または間接的に通信していることがあり得る。ある例において、プロセッサ９０５は、ＷＷＡＮ無線機８０５、ＷＬＡＮ無線機８１０、ＵＥ通信モジュール８１５−ａ、ハンドオーバイベントモジュール８２０−ａまたはルート適合モジュール８２５−ａと関連付けられた機能のうちの１つまたは複数を実行するためにメモリ９１０上に記憶されたコンピュータ可読プログラムコードを実行するように構成され得る。追加的または代替的に、これらのコンポーネントと関連付けられた１つまたは複数の機能は、ＡＳＩＣまたは各コンポーネントと関連付けられた機能性を行うために配置され（arranged）および相互に関連した（interconnected）、他の特殊用途または汎用ハードウェアによってインプリメントされ得る。
【００９０】
[0102]  ＵＥ通信モジュール８１５−ａは、ＷＬＡＮ無線機８１０を使用するＷＬＡＮ ＲＡＴ上で、およびＷＷＡＮ無線機８０５を使用するＷＷＡＮ ＲＡＴ上でネットワーク機器１０５−ｇとＵＥとの間の通信を確立するように構成され得る。ＵＥ通信モジュール８１５−ａは、ネットワーク機器１０５−ｇとＵＥとの間の通信においてＷＬＡＮ ＲＡＴとＷＷＡＮ ＲＡＴの結合を識別するように構成された結合識別モジュール９１８を含み得る。例えば、結合識別モジュール９１８は、第１のＲＡＴと第２のＲＡＴ上でＵＥとネットワーク機器１０５−ｇとの間で通信されたネットワークトラヒックが少なくとも１つの共通のベアラによってサポートされると決定し得る。ある例において、結合識別モジュール９１８は、ＷＬＡＮ ＲＡＴの少なくとも１つのキャリアとＷＷＡＮ ＲＡＴの少なくとも１つのキャリアのキャリアアグリゲーションを識別し得る。
【００９１】
[0103]  ＵＥ通信モジュール８１５−ａは、追加的にスケジューラモジュール９２０を含み得る。スケジューラモジュール９２０は、ＷＷＡＮおよびＷＬＡＮプロトコルに従ってＵＥへのダウンリンク送信に関するＷＬＡＮ無線機８１０とＷＷＡＮ無線機８０５との間でＲＬＣパケットを分散するおよび、統一されたラジオリンクコントローラ（ＲＬＣ）レイヤから１つまたは複数のＥＰＣベアラに関するＲＬＣパケットを受信するように構成され得る。スケジューラモジュール９２０は、ＲＡＴ間でＲＬＣを分散するための１つまたは複数のルールをインプリメントし得る。
【００９２】
[0104]  ハンドオーバイベントモジュール６２０−ａは、ＲＡＴのうちの少なくとも１つと関連付けられたハンドオーバイベントを識別するように構成され得る。ハンドオーバイベントモジュール８２０−ａは、ＵＥから受信された１つまたは複数のメッセージを分析し、そのメッセージ（複数を含む）からハンドオーバイベントを識別するように構成されたＵＥメッセージ処理モジュール９２５を含み得る。例えば、ＵＥメッセージ処理モジュール９２５は、ＵＥからのＲＡＴのうちの１つまたは両方に関するチャネル状態の測定報告を受信し得る。測定報告分析モジュール９３０は、ＵＥの隣接ＷＷＡＮセルがネットワーク機器１０５−ｇのＷＷＡＮ無線機８０５によって供給されたＵＥの現在のサービングセルより優良な信号強度を有するという測定報告から決定し得る。この決定に応答して、ネットワーク機器１０５−ｇは、ＵＥのＷＷＡＮハンドオーバが差し迫っていると決定し得る。追加的にまたは代替的に、ＵＥメッセージ処理モジュール９２５は、測定報告に応答して、および／または他の理由で、ＵＥへハンドオーバ命令を送信し、ハンドオーバ命令メッセージの送信に基づいて、ハンドオーバが発生しようとしていると決定し得る。さらに他の例において、ＵＥメッセージ処理モジュール９２５は、ＵＥのハンドオーバが発生したまたは差し迫っていると示すメッセージをＵＥから受信することによってハンドオーバイベントを識別し得る。さらなる例において、ＵＥメッセージ処理モジュール９２５は、そのルーティングテーブルを変更するために、ＵＥから要求を受信し得る。応答して、ＵＥメッセージ処理モジュール９２５は、ルーティングテーブルを変更する要求に応じるようにＵＥのルート適合モジュール８２５−ａに命令し得る。
【００９３】
[0105]  ハンドオーバイベントモジュール８２０−ａのハンドオーバイベント分析モジュール９３２は、ハンドオーバイベントに基づいて、ハンドオーバイベントによって示されるハンドオーバが現在のレートでＷＷＡＮとＷＬＡＮ ＲＡＴの両方上でＥＰＣベアラトラヒックを通信し続けるためにネットワーク機器１０５−ｇの能力に影響を及ぼし得るかを決定するように構成され得る。この分析は、ハンドオーバイベントに基づいて、ＷＷＡＮ ＲＡＴへＷＬＡＮ ＲＡＴと関連付けられたＥＰＣベアラトラヒックを移動させるためにネットワーク機器１０５−ｇおよび／またはＵＥにおいてネットワークトラヒックルーティングを適合させるためにルート適合モジュール８２５−ａをトリガし得る。
【００９４】
[0106]  ルート適合モジュール８２５−ａは、ＷＬＡＮ ＲＡＴからＷＷＡＮ ＲＡＴへダウンリンクＥＰＣベアラトラヒックを移動させるためにネットワーク機器１０５−ｇにおいて記憶されたルーティングテーブルの１つまたは複数のエントリを追加、削除、または変更することを適合させる（adapt add, delete, or modify）ように構成されたルーティングテーブル変更モジュール９３５を含み得る。
【００９５】
[0107]  ルート適合モジュール８２５−ａはさらに、ＷＷＡＮとＷＬＡＮ ＲＡＴとの間のダウンリンクＥＰＣベアラトラヒックを分散するためにスケジューラモジュール９２０によってインプリメントされた１つまたは複数のスケジューリングルールを追加、削除、または変更するように構成されたスケジューリングルール変更モジュール９４０を含み得る。
【００９６】
[0108]  ルート適合モジュール８２５−ａはさらに、ＷＬＡＮ ＲＡＴと関連付けられたアップリンクベアラトラヒックがＷＷＡＮ ＲＡＴへ移動されるように、ＵＥからネットワーク機器１０５−ｇへアップリンクトラヒックのルーティングを変更するためにＵＥへ要求を送信するように構成されたＵＥ要求モジュール９４５を含み得る。
【００９７】
[0109]  ルート適合モジュール８２５−ａはさらに、ＷＬＡＮ無線機へ既にルーティングされた保留中のネットワークトラヒックの送信の後までハンドオーバイベントによって示されたハンドオーバを遅延させるように構成されたハンドオーバ遅延モジュール９５０を含み得る。
【００９８】
[0110]  図１０は、ネットワーク機器１０５−ｈとＵＥ １１５−ｇを含むワイヤレス通信システム１０００のブロック図である。このワイヤレス通信システム１０００は、前の図のシステムおよびネットワークの態様を例示し得る。ネットワーク機器１０５−ｈは、アンテナ１０３４−ａ乃至１０３４−ｘを装備されることがあり得、ＵＥ １１５−ｇはアンテナ１０５２−ａ乃至１０５２−ｎを装備され得る。ワイヤレス通信システム１０００において、ネットワーク機器１０５−ｈは、同時に複数の通信リンク上でデータを送ることが可能であり得る。各通信リンクは、「レイヤ」と呼ばれることがあり得、通信リンクの「ランク」は、通信のために使用されるレイヤの数を示し得る。例えば、ネットワーク機器１０５−ｈが２つの「レイヤ」を送信する場合、２ｘ２ ＭＩＭＯシステムにおいて、ネットワーク機器１０５−ｈとＵＥ １１５−ｇとの間の通信リンクのランクは２である。
【００９９】
[0111]  ネットワーク機器１０５−ｈにおいて、送信プロセッサ１０２０は、データソースからデータを受信し得る。送信プロセッサ１０２０は、データを処理し得る。送信プロセッサ１０２０はまた、基準シンボルおよびセル固有の基準信号を生成し得る。送信（ＴＸ）ＭＩＭＯプロセッサ１０３０は、適用可能な場合、データシンボル、制御シンボル、および／または基準シンボルに空間処理（例えば、プリコーディング）を行うことがあり得、送信変調器／復調器１０３２−ｘを通して送信変調器／復調器１０３２−ａへ出力シンボルストリームを供給し得る。各変調器／復調器１０３２は、出力サンプルストリームを取得するために、（例えば、ＯＦＤＭ等のための）それぞれの出力シンボルストリームを処理し得る。各変調器／復調器１０３２は、ダウンリンク（ＤＬ）信号を取得するために、出力サンプルストリームをさらに処理（例えば、アナログへ変換、増幅、フィルタ、およびアップコンバート）し得る。１つの例において、変調器／復調器１０３２−ａ乃至１０３２−ｘからのＤＬ信号は、それぞれ、アンテナ１０３４−ａ乃至１０３４−ｘを介して送信され得る。
【０１００】
[0112]  上述した原理と一貫し、ネットワーク機器１０５−ｈは、プロセッサ９０５、メモリ９１０、ＵＥ通信モジュール８１５、ハンドオーバイベントモジュール８２０、ルート適合モジュール８２５を含み得る。ＵＥ通信モジュール８１５は、第１のＲＡＴと第２のＲＡＴ上でＵＥ １１５−ｇとネットワーク機器１０５−ｈとの間で通信を確立するように、およびＵＥ １１５−ｇとネットワーク機器１０５−ｈとの間の通信における第１のＲＡＴと第２のＲＡＴとの間の結合を識別するように構成され得る。ハンドオーバイベントモジュール８２０は、ＲＡＴのうちの少なくとも１つと関連付けられたハンドオーバイベントを識別するように構成されることがあり得、ルート適合モジュール８２５は、少なくとも部分的に識別されたハンドオーバイベントに基づいてネットワークトラヒックルーティングを適合させるように構成され得る。
【０１０１】
[0113]  ＵＥ １１５−ｇにおいて、ＵＥアンテナ１０５２−ａ乃至１０５２−ｎは、ネットワーク機器１０５−ｈからＤＬ信号を受信することがあり得、変調器／復調器１０５４−ａ乃至１０５４−ｎへそれぞれ受信された信号を供給し得る。各ＵＥ変調器／復調器１０５４は、それぞれの受信された信号を調整（例えば、フィルタ、増幅、ダウンコンバートおよびデジタル化）して、入力サンプルを取得し得る。各変調器／復調器１０５４はさらに、（例えば、ＯＦＤＭ等に関する）入力サンプルを処理して、受信されたシンボルを取得し得る。ＭＩＭＯ検出器１０５６は、すべての変調器／復調器１０５４−ａ乃至１０５４ーｎから受信されたシンボルを取得することがあり得、適用可能な場合、受信されたシンボルに対してＭＩＭＯ検出を実行し、検出されたシンボルを供給し得る。受信プロセッサ１０５８は、検出されたシンボルを処理（例えば、復調、デインタリーブ、復号）し、データ出力にＵＥ １１５−ｇのための復号されたデータを供給し、プロセッサ７０５またはメモリ７１０に復号された制御情報を供給し得る。
【０１０２】
[0114]  上述した原理と一貫し、ＵＥ １１５−ｇは、プロセッサ７０５、メモリ７１０、ネットワーク機器通信モジュール６１５、ハンドオーバイベントモジュール６２０、ルート適合モジュール６２５を含み得る。ネットワーク機器通信モジュール６１５は、第１のＲＡＴと第２のＲＡＴ上でＵＥ １１５−ｇとネットワーク機器１０５−ｈとの間で通信を確立するように、およびＵＥ １１５−ｇとネットワーク機器１０５−ｈとの間の通信における第１のＲＡＴと第２のＲＡＴとの間の結合を識別するように構成され得る。ハンドオーバイベントモジュール６２０は、ＲＡＴのうちの少なくとも１つと関連付けられたハンドオーバイベントを識別するように構成されることがあり得、ルート適合モジュール６２５は、少なくとも部分的に識別されたハンドオーバイベントに基づいてネットワークトラヒックルーティングを適合させるように構成され得る。
【０１０３】
[0115]  アップリンク（ＵＬ）において、ＵＥ １１５−ｇ、送信プロセッサ１０６４は、データソースからデータを受信し、処理し得る。送信プロセッサ１０６４はまた、基準信号に関する基準シンボルを生成し得る。送信プロセッサ１０６４からのシンボルは、適用可能な場合、送信ＭＩＭＯプロセッサ１０６６によってプリコーディングされ、さらに（例えば、ＳＣ−ＦＤＭＡ等に関する）変調器／復調器１０５４−ａ乃至１０５４−ｎによって処理され、ネットワーク機器１０５−ｈから受信された送信パラメータに従ってネットワーク機器１０５−ｈへ送信され得る。
【０１０４】
[0116]  ネットワーク機器１０５−ｈにおいて、ＵＥ １１５−ｇからのＵＬ信号が、アンテナ１０３４によって受信され、変調器／復調器１０３２によって処理され、適用可能な場合にはＭＩＭＯ検出器１０３６によって検出され、受信プロセッサによってさらに処理され得る。受信プロセッサ１０３８は、復号されたデータをデータ出力およびプロセッサ１０４０に供給し得る。ＵＥ １１５−ｇのコンポーネントは、個別にまたは集合的に、ハードウェアにおける適用可能な機能のいくつかまたはすべてを行うために適合された１つまたは複数の特定用途向け集積回路（ＡＳＩＣ）でインプリメントされ得る。記載されるモジュールの各々は、ワイヤレス通信システム１０００の実行に関する１つまたは複数の機能を行うための手段であり得る。同様に、ネットワーク機器１０５−ｈのコンポーネントは、個別にまたは集合的に、ハードウェアにおける適用可能な機能のいくつかまたはすべてを行うために適合された１つまたは複数の特定用途向け集積回路（ＡＳＩＣ）でインプリメントされ得る。記載されるコンポーネントの各々は、ワイヤレス通信システム１０００の実行に関する１つまたは複数の機能を行うための手段であり得る。
【０１０５】
[0117]  図１１は、ワイヤレス通信システムにおいてワイヤレス通信を管理する例示的な方法１１００のフローチャートである。方法１１００は、例えば、前の図を参照して上述されたＵＥ １１５のうちの１つまたは複数によって行われ得る。
【０１０６】
[0118]  ブロック１１０５において、ＵＥは、第１のＲＡＴと第２のＲＡＴ上でネットワーク機器との通信を確立し得る。ブロック１１１０において、ＵＥは、ＵＥとネットワーク機器との間の通信における第１のＲＡＴと第２のＲＡＴとの間の結合を識別し得る。例えば、ＵＥは、第１のＲＡＴと第２のＲＡＴの両方上のネットワーク機器とＵＥとの間で通信されるネットワークトラヒックが１つまたは複数のベアラの共通のセットによってサポートされると決定し得る。ブロック１１１５において、ＲＡＴのうちの少なくとも１つと関連付けられたハンドオーバイベントがＵＥにおいて識別され得る。ブロック１１２０において、ＵＥは、識別されたハンドオーバイベントと第１と第２のＲＡＴとの間の結合に少なくとも部分的に基づいて、ネットワークトラヒックルーティングを適合させ得る。
【０１０７】
[0119]  図１２は、ワイヤレス通信システムにおいてワイヤレス通信を管理する例示的な方法１２００のフローチャートである。方法１２００は、例えば、前の図を参照して上述されたネットワーク機器１０５のうちの１つまたは複数によって行われ得る。
【０１０８】
[0120]  ブロック１２０５において、ネットワーク機器は、第１のＲＡＴと第２のＲＡＴ上でＵＥとの通信を確立し得る。ブロック１２１０において、ネットワーク機器は、ＵＥとネットワーク機器との間の通信における第１のＲＡＴと第２のＲＡＴとの間の結合を識別し得る。例えば、ネットワーク機器は、第１のＲＡＴと第２のＲＡＴの両方上のネットワーク機器とＵＥとの間で通信されるネットワークトラヒックが１つまたは複数のベアラの共通のセットによってサポートされると決定し得る。ブロック１２１５において、ＲＡＴのうちの少なくとも１つと関連付けられたハンドオーバイベントがネットワーク機器において識別され得る。ブロック１２２０において、ネットワーク機器は、識別されたハンドオーバイベントと第１と第２のＲＡＴとの間の結合に少なくとも部分的に基づいてネットワークトラヒックルーティングを適合させ得る。
【０１０９】
[0121]  添付の図面に関連して上述される詳細な説明は、典型的な実施形態を説明し、特許請求の範囲内であるまたはインプリメントされ得る実施形態のみを表現しているわけではない。本明細書の全体にわたって用いられる「典型的（exemplary）」または「例示的（illustrative）」という用語は、「例、実例、または例示を提供する」を意味し、必ずしも「他の実施形態に対して有利である」または「好ましい」というわけではない。詳細な説明は、記載された技法の理解を提供することを目的とした特定の詳細を含む。しかしながら、これらの技法は、これらの特定の詳細なしに実施され得る。いくつかの事例では、周知の構造およびデバイスが、記載された実施形態の概念を不明確にすることを避けるためにブロック図形式で示されている。
【０１１０】
[0122]  ここに記載された技法は、ＣＤＭＡ、ＴＤＭＡ、ＦＤＭＡ、ＯＦＤＭＡ、ＳＣ−ＦＤＭＡおよびその他のシステムのような様々なワイヤレス通信システムのために使用され得る。用語「システム」および「ネットワーク」は、しばしば区別なく用いられる。ＣＤＭＡシステムは、ＣＤＭＡ２０００、ユニバーサル地上無線アクセス（ＵＴＲＡ）等といった無線技術をインプリメントし得る。ＣＤＭＡ２０００は、ＩＳ−２０００、ＩＳ−９５、およびＩＳ−８５６規格をカバーする。ＩＳ−２０００リリース０およびＡは、ＣＤＭＡ２０００ １Ｘ、１Ｘ、等と通常称される。ＩＳ−８５６（ＴＩＡ−８５６）は、通常、ＣＤＭＡ２０００ １ｘＥＶ−ＤＯ、高レートパケットデータ（ＨＲＰＤ）等と称される。ＵＴＲＡは、広帯域ＣＤＭＡ（ＷＣＤＭＡ（登録商標））および他の様々なＣＤＭＡを含む。ＴＤＭＡシステムは、移動体通信のためのグローバルシステム（ＧＳＭ（登録商標）：Global System for Mobile Communications）のような無線技術をインプリメントし得る。ＯＦＤＭＡシステムは、ウルトラモバイル帯域幅（ＵＭＢ：Ultra Mobile Bandwidth）、発展型ＵＴＲＡ（Ｅ−ＵＴＲＡ：Evolved UTRA）、ＩＥＥＥ ８０２．１１（Ｗｉ−Ｆｉ）、ＩＥＥＥ ８０２．１６（ＷｉＭａｘ）、ＩＥＥＥ ８０２．２０、Ｆｌａｓｈ−ＯＦＤＭＡ、等といった無線技術をインプリメントし得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥ−アドバンスト（ＬＴＥ−Ａ）は、Ｅ−ＵＴＲＡを使用するＵＭＴＳの新リリースである。ＵＴＲＡ、Ｅ−ＵＴＲＡ、ＵＭＴＳ、ＬＴＥ、ＬＴＥ−Ａ、ＧＳＭは、「第３世代パートナーシッププロジェクト」（３ＧＰＰ）という名称の団体からの文書に記述される。ＣＤＭＡ２０００およびＵＭＢは、「第３世代パートナーシッププロジェクト２」（３ＧＰＰ２）と名づけられた組織からの文書に記述されている。ここに説明される技法は、他のシステムおよび無線技術と同様に、上述されたシステムおよび無線技術のために使用され得る。しかしながら、以下の説明は、例の目的でＬＴＥシステムを説明し、ＬＴＥ専門用語が下記の説
明のほとんどで使用されるが、技法はＬＴＥアプリケーション以外にも適用可能である。
【０１１１】
[0123]  情報と信号が様々な異なる技術と技法のうちのいずれかをもちいて表され得る。例えば、上の記述全体を通して参照されうるデータ、命令、コマンド、情報、信号、ビット、シンボル、およびチップは、電圧、電流、電磁波、磁場または粒子、光電場または光粒子、またはこれらの任意の組み合わせによって表され得る。
【０１１２】
[0124]  ここにおける開示と関連して記述された様々な例示的なブロックおよびモジュールは、汎用のプロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、もしくは、ここで述べた機能を行うように設計されたこれらの任意の組み合わせでインプリメントまたは行われ得る。汎用プロセッサは、マイクロプロセッサであることがあり得るが、その代わりに、プロセッサは、任意の従来のプロセッサ、コントローラ、マイクロコントローラ、またはステートマシンであり得る。プロセッサはまた、例えば、ＤＳＰとマイクロプロセッサの組み合わせ、複数のマイクロプロセッサ、ＤＳＰのコアと連携した１つまたは複数のマイクロプロセッサ、あるいはその他任意のこのような構成である計算デバイスの組み合わせとしてインプリメントされ得る。
【０１１３】
[0125]  ここで説明された機能は、ハードウェア、プロセッサによって実行されるソフトウェア、ファームウェア、またはそれらの任意の組み合わせにおいてインプリメントされ得る。プロセッサによって実行されるソフトウェアでインプリメントされる場合、機能は、１つまたは複数の命令またはコードとしてコンピュータ可読媒体で記憶され、送信され得る。他の例およびインプリメンテーションは、本開示および特許請求の主旨および範囲内にある。例えば、ソフトウェアの本質により、上記で説明された機能は、プロセッサによって実行されるソフトウェア、ハードウェア、ファームウェア、ハードワイヤリング、またはこれらのいずれかの組み合わせを使用してインプリメントされることができる。機能をインプリメントする特徴はまた、様々な位置において物理的に配置されることがあり得、それは、機能の部分が異なる物理的な位置においてインプリメントされるように分配されることを含む。また、ここに使用されるように、特許請求の範囲を含む、「のうちの少なくとも１つ」で始まる項目のリストで使用される「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するように離接的なリスト（disjunctive list）を示す。
【０１１４】
[0126]  コンピュータ可読媒体は、ある場所から別の場所へのコンピュータプログラムの転送を容易にする任意の媒体を含む通信媒体とコンピュータ記憶媒体との両方を含む。コンピュータ可読記憶媒体は、汎用または特殊用途コンピュータによってアクセスされることができる任意の利用可能な媒体であり得る。限定ではなく例として、コンピュータ可読媒体は、命令またはデータ構造の形態で所望のプログラムコード手段を搬送または記憶するために使用されることができ、汎用または特殊用途コンピュータ、あるいは、汎用または特殊用途プロセッサによってアクセスされることができる、ＲＡＭ、ＲＯＭ、ＥＥＰＲＯＭ（登録商標）、ＣＤ−ＲＯＭまたはその他の光ディスク記憶装置、磁気ディスク記憶装置、または他の磁気記憶デバイス、または、任意の他の媒体を備えることができる。また、任意の接続は、コンピュータ可読媒体と厳密には称される。例えば、ソフトウェアがウェブサイト、サーバ、または他の遠隔ソースから、同軸ケーブル、光ファイバーケーブル、ツイストペア、またはデジタル加入者回線（ＤＳＬ）を使用して送信される場合には、同軸ケーブル、光ファイバーケーブル、ツイストペア、またはＤＳＬは、媒体の定義に含まれる。ディスク（disk）およびディスク（disc）は、ここで使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（Ｂｌｕ−ｒａｙ（登録商標））ディスク（disc）を含み、ディスク（disk）は通常、磁気的にデータを再生するが、ディスク（disc）は、レーザーを用いて光学的にデータを再生する。上記の組み合わせはまた、コンピュータ可読媒体の範囲内に含まれる。
【０１１５】
[0127]  本開示の先の説明は、本開示を製造または使用することを当業者に可能にさせるために提供されている。本開示に対する様々な変形は当業者にとって容易に明らかであり、ここで定義された包括的原理は本開示の主旨または範囲から逸脱することなく他の変形例に適用可能であり得る。この開示を通して、用語「例（example）」または「典型的（exemplary）」は、実例または事例を示し、記載された例が好ましくあることを暗示するまたは要求するものではない。したがって、本開示は、ここに記載された例および設計に制限されることを意図せず、ここに開示された原理および新規な特徴と合致する最も広い範囲が与えられるべきである。
以下に、本願出願の当初の特許請求の範囲に記載された発明を付記する。
［Ｃ１］
ユーザ機器（ＵＥ）によるワイヤレス通信のための方法であって、
第１の無線アクセス技術（ＲＡＴ）および第２のＲＡＴ上でネットワーク機器と通信することと、
前記ＵＥと前記ネットワーク機器との間の前記通信における前記第１のＲＡＴと前記第２のＲＡＴとの間の結合を識別することと、
前記ＲＡＴのうちの少なくとも１つと関連付けられたハンドオーバイベントを識別することと、
前記ＵＥによって、前記識別されたハンドオーバイベントおよび前記第１のＲＡＴと前記第２のＲＡＴとの間の前記結合に少なくとも部分的に基づいてネットワークトラヒックルーティングを適合させることと
を備える、方法。
［Ｃ２］
前記ＵＥから前記ネットワーク機器へのアップリンクトラヒックのルーティングを変更するための要求を前記ネットワーク機器から受信することをさらに備える、Ｃ１に記載の方法。
［Ｃ３］
前記第１のネットワークは、ワイヤレスワイドエリアネットワーク（ＷＷＡＮ）を備え、前記第２のネットワークは、無線ローカルエリアネットワーク（ＷＬＡＮ）を備え、ここにおいて、前記結合は、前記第１と第２のＲＡＴの両方に関するネットワークトラヒックを前記ネットワーク機器へ伝達するために共通のベアラを使用することを備える、Ｃ１に記載の方法。
［Ｃ４］
前記第１のＲＡＴと前記第２のＲＡＴとの間の前記結合を識別することは、
前記第１のＲＡＴと前記第２のＲＡＴ上の前記ネットワーク機器と前記ＵＥとの間の前記ネットワークトラヒックが少なくとも前記共通のベアラによってサポートされると決定することを備える、Ｃ３に記載の方法。
［Ｃ５］
前記ハンドオーバイベントによって示された前記ＵＥのハンドオーバが、前記ＵＥが現在のレートで前記第１のＲＡＴおよび前記第２のＲＡＴの両方上で前記共通のベアラによってサポートされるネットワークトラヒックを通信し続ける能力に影響を及ぼし得ると決定することをさらに備える、Ｃ４に記載の方法。
［Ｃ６］
前記第１および第２のＲＡＴの両方に関するトラヒックを伝達するために、前記ハンドオーバイベントのターゲットが共通のベアラの使用をサポートしない場合、前記ルーティングを適合させることは、前記第１と第２のＲＡＴとの間の前記結合を解除することを備える、Ｃ１に記載の方法。
［Ｃ７］
前記結合を解除することは、前記ＲＡＴのうちの１つ上で前記共通のベアラと関連付けられた全てのデータトラヒックをルーティングすることを備える、Ｃ６に記載の方法。
［Ｃ８］
前記ＵＥにおいて前記ネットワークトラヒックルーティングを適合させることは、
前記識別されたハンドオーバイベントに基づいて前記ＵＥによって記憶されたＩＰ−レイヤルーティングテーブルを変更することを備える、Ｃ１に記載の方法。
［Ｃ９］
前記ルーティングテーブルを変更することは、前記ハンドオーバイベントのターゲットが、前記第１のＲＡＴと前記第２のＲＡＴの両方上で前記ＵＥのトラヒックを伝達するために共通のベアラを使用することをサポートするという決定に応答する、Ｃ８に記載の方法。
［Ｃ１０］
前記ＵＥにおいて前記ネットワークトラヒックルーティングを適合させることは、
前記識別されたハンドオーバイベントに基づいて前記ＵＥにおいて少なくとも１つのサブ−ＩＰレイヤスケジューリングルールを変更することを備え、前記スケジューリングルールは、前記第１および第２のＲＡＴの間で前記ネットワーク機器と前記ＵＥとの間でアップリンクトラヒックを分散することと関連付けられる、Ｃ１に記載の方法。
［Ｃ１１］
前記少なくとも１つのサブ−ＩＰレイヤスケジューリングルールを変更することは、前記ハンドオーバイベントのターゲットが、前記第１のＲＡＴと前記第２のＲＡＴの両方上で前記ＵＥのトラヒックを伝達するために共通のベアラを使用することをサポートするという決定に応答する、Ｃ１０に記載の方法。
［Ｃ１２］
前記ハンドオーバイベントのターゲットが、前記第１のＲＡＴと前記第２のＲＡＴの両方上で前記ＵＥのトラヒックを伝達するために共通のベアラを使用することをサポートするという決定に応答して共通ベアラを使用する前記第２のＲＡＴと前記第１のＲＡＴ上で前記ネットワーク機器へ前記ＵＥのネットワークトラヒックを送信することをさらに備える、Ｃ１に記載の方法。
［Ｃ１３］
前記ネットワーク機器から前記ＵＥへのダウンリンクトラヒックのルーティングを変更するようにネットワーク機器へ要求を送信することをさらに備える、Ｃ１に記載の方法。
［Ｃ１４］
前記第２のＲＡＴへルーティングされるべきである保留中のネットワークトラヒックの量に基づいて、前記第１のＲＡＴにおいてハンドオーバを遅延させることをさらに備える、Ｃ１に記載の方法。
［Ｃ１５］
前記第１のＲＡＴにおける前記ＵＥのハンドオーバに応答する前記第２のＲＡＴ上の前記ＵＥの接続を変更することをさらに備える、Ｃ１に記載の方法。
［Ｃ１６］
前記第２のＲＡＴにおける前記ネットワーク機器と前記ＵＥとの間の前記接続を変更することは、前記ＵＥを前記第２のＲＡＴから分離すること、前記第２のＲＡＴにおいて前記ＵＥのハンドオーバを開始すること、または前記ＵＥにおいて前記第２のＲＡＴを非アクティブ化することのうちの少なくとも１つを備える、Ｃ１５に記載の方法。
［Ｃ１７］
前記ＲＡＴのうちの１つと関連付けられたポートのセット上でワイヤレストラヒックを送信することおよび受信することをさらに備え、ここにおいて、前記ネットワークトラヒックルーティングは前記ポートのセットのサブセットに適合される、Ｃ１に記載の方法。
［Ｃ１８］
前記第１のＲＡＴと前記第２のＲＡＴとの間の前記結合を識別することは、前記ＲＡＴのうちの１つ上で前記ネットワーク機器からユニキャストメッセージを受信すること、前記メッセージは、前記第１のＲＡＴと前記第２のＲＡＴとの間の前記結合を示し、
前記第１のＲＡＴと前記第２のＲＡＴとの間の前記結合を通知する前記ＲＡＴのうちの少なくとも１つ上でブロードキャストメッセージを受信すること、
前記第２のＲＡＴの少なくとも１つのキャリアと前記第１のＲＡＴの少なくとも１つのキャリアのキャリアアグリゲーションを識別すること、または
前記ネットワーク機器が前記ＲＡＴの各々と関連付けられた配置された要素を備えると決定すること
のうちの少なくとも１つを備える、Ｃ１に記載の方法。
［Ｃ１９］
前記ハンドオーバイベントを識別することは、
前記ネットワーク機器から前記ハンドオーバイベントの表示を受信すること、
前記ＲＡＴのうちの少なくとも１つと関連付けられた前記ネットワーク機器からのハンドオーバ命令を前記ＵＥにおいて受信すること、
前記ＵＥと関連付けられた現在のサービングセルの無線リンク障害を検出すること、
前記ＲＡＴのうちの少なくとも１つと関連付けられたサービス品質がしきい値未満に落ちたと決定すること、または
隣接セルが前記ＵＥと関連付けられた現在のサービングセルよりも優良な信号強度を備えると決定すること
のうちの少なくとも１つを備える、Ｃ１に記載の方法。
［Ｃ２０］
ユーザ機器（ＵＥ）装置は、
第１の無線アクセス技術（ＲＡＴ）および第２のＲＡＴ上でネットワーク機器と通信するための手段と、
前記ＵＥ装置と前記ネットワーク機器との間の前記通信における前記第１のＲＡＴと前記第２のＲＡＴとの間の結合を識別するための手段と、
前記ＲＡＴのうちの少なくとも１つと関連付けられたハンドオーバイベントを識別するための手段と、
前記ＵＥ装置によって、前記識別されたハンドオーバイベントおよび前記第１のＲＡＴと前記第２のＲＡＴとの間の前記結合に少なくとも部分的に基づいてネットワークトラヒックルーティングを適合させるための手段と
を備える、ＵＥ装置。
［Ｃ２１］
前記ＵＥから前記ネットワーク機器へのアップリンクトラヒックのルーティングを変更するように前記ネットワーク機器から要求を受信するための手段をさらに備える、Ｃ２０に記載の装置。
［Ｃ２２］
前記第１のネットワークは、ワイヤレスワイドエリアネットワーク（ＷＷＡＮ）を備え、前記第２のネットワークは、無線ローカルエリアネットワーク（ＷＬＡＮ）を備え、ここにおいて、前記結合は、前記第１と第２のＲＡＴの両方に関するネットワークトラヒックを前記ネットワーク機器へ伝達するために共通のベアラを使用することを備える、Ｃ２０に記載の装置。
［Ｃ２３］
前記第１のＲＡＴと前記第２のＲＡＴとの間の前記結合を識別するための前記手段は、
前記第１のＲＡＴと前記第２のＲＡＴ上の前記ネットワーク機器と前記ＵＥとの間の前記ネットワークトラヒックが少なくとも前記共通のベアラによってサポートされると決定するための手段を備える、Ｃ２２に記載の装置。
［Ｃ２４］
前記ハンドオーバイベントによって示された前記ＵＥのハンドオーバが、前記ＵＥが現在のレートで前記第１のＲＡＴおよび前記第２のＲＡＴの両方上で前記共通のベアラによってサポートされるネットワークトラヒックを通信し続ける能力に影響を及ぼし得ると決定するための手段をさらに備える、Ｃ２３に記載の装置。
［Ｃ２５］
前記ルーティングを適合させるための前記手段は、前記第１および第２のＲＡＴの両方に関するトラヒックを伝達するために、前記ハンドオーバイベントのターゲットが共通のベアラの使用をサポートしない場合、前記第１と第２のＲＡＴとの間の前記結合を解除するための手段を備える、Ｃ２０に記載の装置。
［Ｃ２６］
前記結合を解除するための前記手段は、前記ＲＡＴのうちの１つ上で前記共通のベアラと関連付けられた全てのデータトラヒックをルーティングするための手段を備える、Ｃ２５に記載の装置。
［Ｃ２７］
前記ＵＥにおいて前記ネットワークトラヒックルーティングを適合させるための前記手段は、
前記識別されたハンドオーバイベントに基づいて前記ＵＥによって記憶されたＩＰ−レイヤルーティングテーブルを変更するための手段を備える、Ｃ２０に記載の装置。
［Ｃ２８］
前記ルーティングテーブルを変更するための前記手段は、前記ハンドオーバイベントのターゲットが、前記第１のＲＡＴと前記第２のＲＡＴの両方上で前記ＵＥのトラヒックを伝達するために共通のベアラを使用することをサポートするという決定に応答する、Ｃ２７の装置。
［Ｃ２９］
前記ＵＥにおいて前記ネットワークトラヒックルーティングを適合させるための前記手段は、
前記識別されたハンドオーバイベントに基づいて前記ＵＥにおける少なくとも１つのサブ−ＩＰレイヤスケジューリングルールを変更するための手段を備え、前記スケジューリングルールは、前記第１と第２のＲＡＴの間で前記ネットワーク機器と前記ＵＥとの間でアップリンクトラヒックを分散することと関連付けられる、Ｃ２０に記載の装置。
［Ｃ３０］
前記少なくとも１つのサブ−ＩＰレイヤスケジューリングルールを変更するための前記手段は、前記ハンドオーバイベントのターゲットが、前記第１のＲＡＴと前記第２のＲＡＴの両方上で前記ＵＥのトラヒックを伝達するために共通のベアラを使用することをサポートするという決定に応答する、Ｃ２９に記載の装置。
［Ｃ３１］
前記ハンドオーバイベントのターゲットが前記第１のＲＡＴと前記第２のＲＡＴの両方上で前記ＵＥのトラヒックを伝達するために共通のベアラを使用することをサポートするという決定に応答して共通ベアラを使用する前記第２のＲＡＴと前記第１のＲＡＴ上で前記ネットワーク機器へ前記ＵＥのネットワークトラヒックを送信するための手段をさらに備える、Ｃ２０に記載の装置。
［Ｃ３２］
前記第１のＲＡＴと前記第２のＲＡＴとの間の前記結合を識別するための前記手段は、
前記ＲＡＴのうちの１つ上で前記ネットワーク機器からユニキャストメッセージを受信するための手段、前記メッセージは、前記第１のＲＡＴと前記第２のＲＡＴとの間の前記結合を示し、
前記第１のＲＡＴと前記第２のＲＡＴとの間の前記結合を通知する前記ＲＡＴのうちの少なくとも１つ上でブロードキャストメッセージを受信するための手段、
前記第２のＲＡＴの少なくとも１つのキャリアと前記第１のＲＡＴの少なくとも１つのキャリアのキャリアアグリゲーションを識別するための手段、または
前記ネットワーク機器が前記ＲＡＴの各々と関連付けられた配置された要素を備えると決定するための手段
のうちの少なくとも１つを備える、Ｃ２０に記載の装置。
［Ｃ３３］
ユーザ機器（ＵＥ）装置は、
第１のＲＡＴと関連付けられた第１の無線機と、
第２のＲＡＴと関連付けられた第２の無線機と、
プロセッサと、
前記プロセッサと電子通信状態にあるメモリと、
を備え、
前記メモリは、命令を組み込み、
前記命令は、
第１の無線アクセス技術（ＲＡＴ）および第２のＲＡＴ上でネットワーク機器と通信することと、
前記ＵＥと前記ネットワーク機器との間の前記通信における前記第１のＲＡＴと前記第２のＲＡＴとの間の結合を識別することと、
前記ＲＡＴのうちの少なくとも１つと関連付けられたハンドオーバイベントを識別することと、
前記識別されたハンドオーバイベントおよび前記第１のＲＡＴと前記第２のＲＡＴとの間の前記結合に少なくとも部分的に基づいてネットワークトラヒックルーティングを適合させることと
を行うように前記プロセッサによって実行可能とされる、装置。
［Ｃ３４］
前記ＵＥから前記ネットワーク機器へのアップリンクトラヒックのルーティングを変更するように前記ネットワーク機器から要求を受信するようにさらに構成される、Ｃ３３の装置。
［Ｃ３５］
前記第１のネットワークは、ワイヤレスワイドエリアネットワーク（ＷＷＡＮ）を備え、前記第２のネットワークは、無線ローカルエリアネットワーク（ＷＬＡＮ）を備え、ここにおいて、前記結合は、前記第１と第２のＲＡＴの両方に関するネットワークトラヒックを前記ネットワーク機器へ伝達するために共通のベアラを使用することを備える、Ｃ３３に記載の装置。
［Ｃ３６］
前記第１のＲＡＴと前記第２のＲＡＴとの間の前記結合を識別するように構成された前記プロセッサは、
前記第１のＲＡＴと前記第２のＲＡＴ上の前記ネットワーク機器と前記ＵＥとの間の前記ネットワークトラヒックが少なくとも前記共通のベアラによってサポートされると決定することを備える、Ｃ３５に記載の装置。
［Ｃ３７］
前記ハンドオーバイベントによって示された前記ＵＥのハンドオーバが、前記ＵＥが現在のレートで前記第１のＲＡＴおよび前記第２のＲＡＴの両方上で前記共通のベアラによってサポートされるネットワークトラヒックを通信し続ける能力に影響を及ぼし得ると決定するようにさらに構成される、Ｃ３６に記載の装置。
［Ｃ３８］
前記第１および第２のＲＡＴの両方に関するトラヒックを伝達するために、前記ハンドオーバイベントのターゲットが共通のベアラの使用をサポートしない場合、前記ルーティングを適合させることは、前記第１と第２のＲＡＴとの間の前記結合を解除することを備える、Ｃ３３に記載の装置。
［Ｃ３９］
前記結合を解除することは、前記ＲＡＴのうちの１つ上で前記共通のベアラと関連付けられた全てのデータトラヒックをルーティングすることを備える、Ｃ３８に記載の装置。
［Ｃ４０］
前記ＵＥにおいて前記ネットワークトラヒックルーティングを適合させることは、
前記識別されたハンドオーバイベントに基づいて前記ＵＥによって記憶されたＩＰ−レイヤルーティングテーブルを変更することを備える、Ｃ３３に記載の装置。
［Ｃ４１］
前記ルーティングテーブルを変更することは、前記ハンドオーバイベントのターゲットが、前記第１のＲＡＴと前記第２のＲＡＴの両方上で前記ＵＥのトラヒックを伝達するために共通のベアラを使用することをサポートするという決定に応答する、Ｃ４０に記載の装置。
［Ｃ４２］
前記ＵＥにおいて前記ネットワークトラヒックルーティングを適合させることは、
前記識別されたハンドオーバイベントに基づいて前記ＵＥにおいて少なくとも１つのサブ−ＩＰレイヤスケジューリングルールを変更することを備え、前記スケジューリングルールは、前記第１および第２のＲＡＴの間で前記ネットワーク機器と前記ＵＥとの間でアップリンクトラヒックを分散することと関連付けられる、Ｃ３３に記載の装置。
［Ｃ４３］
前記少なくとも１つのサブ−ＩＰレイヤスケジューリングルールを変更することは、前記ハンドオーバイベントのターゲットが、前記第１のＲＡＴと前記第２のＲＡＴの両方上で前記ＵＥのトラヒックを伝達するために共通のベアラを使用することをサポートするという決定に応答する、Ｃ４２に記載の装置。
［Ｃ４４］
前記ハンドオーバイベントのターゲットが、前記第１のＲＡＴと前記第２のＲＡＴの両方上で前記ＵＥのトラヒックを伝達するために共通のベアラを使用することをサポートするという決定に応答して共通ベアラを使用する前記第２のＲＡＴと前記第１のＲＡＴ上で前記ネットワーク機器へ前記ＵＥのネットワークトラヒックを送信することをさらに備える、Ｃ３３に記載の装置。
［Ｃ４５］
前記第１のＲＡＴと前記第２のＲＡＴとの間の前記結合を識別するように構成された前記プロセッサは、
前記ＲＡＴのうちの１つ上で前記ネットワーク機器からユニキャストメッセージを受信すること、前記メッセージは、前記第１のＲＡＴと前記第２のＲＡＴとの間の前記結合を示し、前記第１のＲＡＴと前記第２のＲＡＴとの間の前記結合を通知する前記ＲＡＴのうちの少なくとも１つ上でブロードキャストメッセージを受信すること、
前記第２のＲＡＴの少なくとも１つのキャリアと前記第１のＲＡＴの少なくとも１つのキャリアのキャリアアグリゲーションを識別すること、または
前記ネットワーク機器が前記ＲＡＴの各々と関連付けられた配置された要素を備えると決定すること
のうちの少なくとも１つを備える、Ｃ３３に記載の装置。
［Ｃ４６］
コンピュータプログラム製品であって、
第１の無線アクセス技術（ＲＡＴ）および第２のＲＡＴ上でネットワーク機器とＵＥとの間で通信することと、
前記ＵＥと前記ネットワーク機器との間の前記通信における前記第１のＲＡＴと前記第２のＲＡＴとの間の結合を識別することと、
前記ＲＡＴのうちの前記少なくとも１つと関連付けられたハンドオーバイベントを識別することと
前記ＵＥによって、前記識別されたハンドオーバイベントおよび前記第１と第２のＲＡＴとの間の前記結合に少なくとも部分的に基づいてネットワークトラヒックルーティングを適合させることと
を行うことがプロセッサによって実行可能である命令を記憶する非一時的なコンピュータ可読媒体を備える、コンピュータプログラム製品。
［Ｃ４７］
前記第１のＲＡＴと前記第２のＲＡＴとの間の前記結合を識別するように構成された前記プロセッサは、
前記ＲＡＴのうちの１つ上で前記ネットワーク機器からユニキャストメッセージを受信すること、前記メッセージは、前記第１のＲＡＴと前記第２のＲＡＴとの間の前記結合を示し、
前記第１のＲＡＴと前記第２のＲＡＴとの間の前記結合を通知する前記ＲＡＴのうちの少なくとも１つ上でブロードキャストメッセージを受信すること、
前記第２のＲＡＴの少なくとも１つのキャリアと前記第１のＲＡＴの少なくとも１つのキャリアのキャリアアグリゲーションを識別すること、または
前記ネットワーク機器が前記ＲＡＴの各々と関連付けられた配置された要素を備えると決定すること
のうちの少なくとも１つを備える、Ｃ４６に記載のコンピュータプログラム製品。
［Ｃ４８］
ネットワーク機器によるワイヤレス通信の方法は、
第１の無線アクセス技術（ＲＡＴ）および第２のＲＡＴ上でユーザ機器（ＵＥ）と通信することと、
前記ＵＥと前記ネットワーク機器との間の前記通信における前記第１のＲＡＴと前記第２のＲＡＴとの間の結合を識別することと、
前記ＲＡＴのうちの少なくとも１つと関連付けられたハンドオーバイベントを識別することと、
前記識別されたハンドオーバイベントと前記第１のＲＡＴと前記第２のＲＡＴとの間の前記結合に少なくとも部分的に基づいてネットワークトラヒックルーティングを前記ネットワーク機器によって適合させることと
を備える、方法。
［Ｃ４９］
前記ＵＥから前記ネットワーク機器へのアップリンクトラヒックのルーティングを変更するために前記ＵＥに要求を送信することをさらに備える、Ｃ４８に記載の方法。
［Ｃ５０］
前記第１のネットワークは、ワイヤレスワイドエリアネットワーク（ＷＷＡＮ）を備え、前記第２のネットワークは、無線ローカルエリアネットワーク（ＷＬＡＮ）を備え、ここにおいて、前記結合は、前記第１と第２のＲＡＴの両方に関するネットワークトラヒックを前記ネットワーク機器へ伝達するために共通のベアラを使用することを備える、Ｃ４８に記載の方法。
【図１】
0006466410.tif 000002
【図２】
0006466410.tif 000003
【図３Ａ】
0006466410.tif 000004
【図３Ｂ】
0006466410.tif 000005
【図３Ｃ】
0006466410.tif 000006
【図４】
0006466410.tif 000007
【図５】
0006466410.tif 000008
【図６】
0006466410.tif 000009
【図７】
0006466410.tif 000010
【図８】
0006466410.tif 000011
【図９】
0006466410.tif 000012
【図１０】
0006466410.tif 000013
【図１１】
0006466410.tif 000014
【図１２】
0006466410.tif 000015